(57)【要約】  本出願の実施例は、測定配置方法及び関連製品を開示する。前記方法は、配置情報を取得し、前記配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含むことと、前記測定配置に従って測定結果を取得することとを含む。本出願の実施例は、端末が接続状態に切り替えた後にネットワーク配置を行うためのシグナリングオーバーヘッドを削減させ、端末のネットワーク配置効率の向上に役立つ。
2020532149.tif 000002
【特許請求の範囲】
【請求項１】
測定配置方法であって、
端末が配置情報を取得し、前記配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含むことと、
前記端末が前記測定配置に従って測定結果を取得することとを含む、前記方法。
【請求項２】
前記配置情報が基準信号の配置情報を含み、前記端末が前記測定配置に従って測定結果を取得することは、
前記端末が非アクティブ状態に切り替えた後に、前記測定配置に従って前記基準信号を測定して測定結果を取得すること、又は、
前記端末が非アクティブ状態に切り替えた後、且つアップリンクデータ又はダウンリンクページングメッセージを検出した場合、前記測定配置に従って前記基準信号を測定して測定結果を取得することを含むことを特徴とする
請求項１に記載の方法。
【請求項３】
前記基準信号は、アイドル状態基準信号及び／又は接続状態基準信号を含むことを特徴とする
請求項２に記載の方法。
【請求項４】
前記端末が前記測定配置に従って測定結果を取得した後、前記方法はさらに、
前記端末が接続状態に切り替えることと、
前記端末が前記測定結果を報告することとを含むことを特徴とする
請求項１−３のいずれか一項に記載の方法。
【請求項５】
前記配置情報が測定報告トリガイベントを含み、前記端末が前記測定結果を報告することは、
前記端末が前記測定報告トリガイベントに基づき、前記測定結果を報告するか否かを判定し、前記測定報告トリガイベントが開始された場合、前記測定結果を報告することを含むことを特徴とする
請求項４に記載の方法。
【請求項６】
前記端末が前記測定結果を報告することは、
前記端末が前記ネットワーク装置へ指示情報を送信し、前記指示情報が前記測定結果を示すことに用いられることを特徴とする
請求項５に記載の方法。
【請求項７】
前記端末が前記測定結果を報告することは、
前記端末が前記ネットワーク装置からの測定結果報告リクエストを受信することと、
前記端末が前記ネットワーク装置へ前記測定結果を報告することとを含むことを特徴とする
請求項５に記載の方法。
【請求項８】
前記報告した前記測定結果を搬送するアップリンクシグナリングは、接続確立リクエスト、接続回復リクエスト、接続確立完了シグナリングと接続回復完了シグナリングのいずれか一つを含むことを特徴とする
請求項５−７のいずれか一項に記載の方法。
【請求項９】
前記方法はさらに、
前記端末が、現在のエリアが測定有効エリアに属しないことを検出した場合、及び／又は現在の時間が測定有効時間に属しないことを検出した場合に、前記配置情報を解放することを含むことを特徴とする
請求項１−８のいずれか一項に記載の方法。
【請求項１０】
前記配置情報を搬送するシグナリングは無線リソース接続（ＲＲＣ）の接続解放シグナリング又はＲＲＣ再構成シグナリングであり、
前記配置情報は、測定周波数、測定モード、測定有効時間と測定有効エリアのうちの少なくとも一つを含むことを特徴とする
請求項１−９のいずれか一項に記載の方法。
【請求項１１】
測定配置方法であって、
ネットワーク装置が配置情報を送信し、前記配置情報が、端末が非接続状態にある時の測定配置を含み、前記配置情報が、端末が前記測定配置に従って測定して測定結果を取得することに用いられ、前記非接続状態が少なくともアイドル（ＩＤＬＥ）状態と非アクティブ（ＩＮＡＣＴＩＶＥ）状態のうちの一つを含むことを含む、前記方法。
【請求項１２】
前記配置情報が基準信号の配置情報を含むことを特徴とする
請求項１１に記載の方法。
【請求項１３】
前記基準信号は、アイドル状態基準信号及び／又は接続状態基準信号を含むことを特徴とする
請求項１２に記載の方法。
【請求項１４】
前記ネットワーク装置が配置情報を送信した後、前記方法はさらに、
前記ネットワーク装置が前記測定結果を取得し、前記測定結果が、前記端末が接続状態に切り替えた後に報告するものであることを特徴とする
請求項１１−１３のいずれか一項に記載の方法。
【請求項１５】
前記配置情報が測定報告トリガイベントを含み、前記測定結果は、前記端末が前記測定報告トリガイベントに基づき、前記測定結果を報告するか否かを判定し、前記測定報告トリガイベントが開始された場合、報告するものであることを特徴とする
請求項１４に記載の方法。
【請求項１６】
前記ネットワーク装置が前記測定結果を取得することは、
前記ネットワーク装置が前記端末からの指示情報を受信し、前記指示情報が前記測定結果を示すことに用いられることを含むことを特徴とする
請求項１５に記載の方法。
【請求項１７】
前記ネットワーク装置が前記測定結果を取得することは、
前記ネットワーク装置が前記端末へ測定結果報告リクエストを送信することと、
前記ネットワーク装置が、前記端末が前記測定結果報告リクエストに応答して報告した前記測定結果を受信することとを含むことを特徴とする
請求項１５に記載の方法。
【請求項１８】
前記測定結果を搬送するアップリンクシグナリングは、接続確立リクエスト、接続回復リクエスト、接続確立完了シグナリングと接続回復完了シグナリングのいずれか一つを含むことを特徴とする
請求項１５−１７のいずれか一項に記載の方法。
【請求項１９】
前記配置情報を搬送するシグナリングは無線リソース接続（ＲＲＣ）の接続解放シグナリング又はＲＲＣ再構成シグナリングであり、
前記配置情報は、測定周波数、測定モード、測定有効時間と測定有効エリアのうちの少なくとも一つを含むことを特徴とする
請求項１１−１８のいずれか一項に記載の方法。
【請求項２０】
前記方法はさらに、
前記ネットワーク装置が前記測定結果に基づいて接続状態にある前記端末に対してプリセット配置を行い、前記プリセット配置がセカンダリ搬送波及び／又はセカンダリサービスノードの配置を含むことを含むことを特徴とする
請求項１１−１９のいずれか一項に記載の方法。
【請求項２１】
端末であって、処理ユニットと通信ユニットを備え、
前記処理ユニットは、前記通信ユニットを介して配置情報を取得し、前記配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含み、前記通信ユニットを介して前記測定配置に従って測定結果を取得するように構成される、前記端末。
【請求項２２】
ネットワーク装置であって、処理ユニットと通信ユニットを備え、
前記処理ユニットは、前記通信ユニットを介して配置情報を送信するように構成され、前記配置情報が、端末が非接続状態にある時の測定配置を含み、前記配置情報が測定結果を取得するために端末によって用いられ、前記非接続状態が少なくともアイドル（ＩＤＬＥ）状態と非アクティブ（ＩＮＡＣＴＩＶＥ）状態のうちの一つを含む、前記ネットワーク装置。
【請求項２３】
端末であって、プロセッサ、メモリ、通信インタフェース、及び一つ又は複数のプログラムを備え、前記一つ又は複数のプログラムが前記メモリに記憶され、そして前記プロセッサによって実行されるように構成され、前記プログラムが請求項１−１０のいずれか一項に記載される方法のステップを実行するための命令を含む、前記端末。
【請求項２４】
ネットワーク装置であって、プロセッサ、メモリ、送受信機、及び一つ又は複数のプログラムを備え、前記一つ又は複数のプログラムが前記メモリに記憶され、そして前記プロセッサによって実行されるように構成され、前記プログラムが請求項１１−２０のいずれか一項に記載される方法のステップを実行するための命令を含む、前記ネットワーク装置。
【請求項２５】
コンピュータ可読記憶媒体であって、電子データ交換のためのコンピュータプログラムを記憶し、ここで、前記コンピュータプログラムによりコンピュータが請求項１−１０のいずれか一項に記載される方法のステップを実行する、前記コンピュータ可読記憶媒体。
【請求項２６】
コンピュータ可読記憶媒体であって、電子データ交換のためのコンピュータプログラムを記憶し、ここで、前記コンピュータプログラムによりコンピュータが請求項１１−２０のいずれか一項に記載される方法のステップを実行する、前記コンピュータ可読記憶媒体。
【発明の詳細な説明】
【技術分野】
【０００１】
本出願は通信技術分野に関し、特に測定配置方法及び関連製品に関する。
【背景技術】
【０００２】
第４世代の移動通信技術（４Ｇ：ｔｈｅ  ４ｔｈ  Ｇｅｎｅｒａｔｉｏｎ  ｍｏｂｉｌｅ  ｃｏｍｍｕｎｉｃａｔｉｏｎ  ）による長期進化型（ＬＴＥ：Ｌｏｎｇ  Ｔｅｒｍ  Ｅｖｏｌｕｔｉｏｎ）システムでは、端末が接続状態にある場合、端末は、アイドル状態基準信号（ＲＳ：Ｒｅｆｅｒｅｎｃｅ  Ｓｉｇｎａｌ）と接続状態基準信号（ＲＳ）に基づいて測定し、測定精度が高い。ネットワークは、これに基づいて端末に対してハンドオーバー、セカンダリサービスノードの追加、セカンダリサービスノードの削除、セカンダリサービスノードの変更などの操作を行う。端末が非接続状態（例えばＩＤＬＥ又はＩＮＡＣＴＩＶＥ）にある場合、端末は、ネットワーク信号の測定精度が高くなく、セル選択及び再選択の依拠のみとして使用されてもよいが、ハンドオーバー、及びセカンダリサービスノードの追加／削除／変更などの操作の依拠として使用されることができない。
【発明の概要】
【発明が解決しようとする課題】
【０００３】
本出願の実施例は、フィードバックされたアップリンク制御シグナリングのビット数を確定し、アップリンク制御シグナリングオーバーヘッドを削減させるように、測定配置方法及び関連製品を提供する。
【課題を解決するための手段】
【０００４】
第一の態様では、本出願の実施例による測定配置方法は、
端末が配置情報を取得し、前記配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含むことと、
前記端末が前記測定配置に従って測定結果を取得することとを含む。
【０００５】
第二の態様では、本出願の実施例による測定配置方法は、
ネットワーク装置が配置情報を送信し、前記配置情報が、端末が非接続状態にある時の測定配置を含み、前記配置情報が、端末が前記測定配置に従って測定して測定結果を取得することに用いられ、前記非接続状態が少なくともアイドル（ＩＤＬＥ）状態と非アクティブ（ＩＮＡＣＴＩＶＥ）状態のうちの一つを含むことを含む。
【０００６】
第三の態様では、本出願の実施例による端末は、上記方法設計における端末の動作を実施する機能を備える。前記機能は、ハードウェアによって実現されてもよいし、ハードウェアによって対応するソフトウェアを実行して実現されてもよい。前記ハードウェア又はソフトウェアは、上記機能に対応する一つ又は複数のモジュールを含む。一つの可能な設計において、端末は、プロセッサを備え、前記プロセッサが、端末が上記方法における対応する機能を実行することをサポートするように構成される。さらに、端末はさらに送受信機を備え、前記送受信機が端末とネットワーク装置の間の通信をサポートするように構成される。さらに、端末はさらにメモリをさらに備えることができ、前記メモリが端末に必要なプログラム命令とデータを保存するためのロセッサと結合するように構成される。
【０００７】
第四の態様では、本出願の実施例によるネットワーク装置は、上記方法設計におけるネットワーク装置の動作を実施する機能を備える。前記機能は、ハードウェアによって実現されてもよいし、ハードウェアによって対応するソフトウェアを実行して実現されてもよい。前記ハードウェア又はソフトウェアは上記機能に対応する一つ又は複数のモジュールを含む。一つの可能な設計において、ネットワーク装置は、プロセッサを備え、前記プロセッサが、ネットワーク装置が上記方法における対応する機能を実行することをサポートするように構成される。さらに、ネットワーク装置はさらに送受信機を備え、前記送受信機がネットワーク装置と端末の間の通信をサポートするように構成される。さらに、ネットワーク装置はさらにメモリをさらに備えることができ、前記メモリがネットワーク装置に必要なプログラム命令とデータを保存するためのプロセッサと結合するように構成される。
【０００８】
第五の態様では、本出願の実施例による端末は、プロセッサ、メモリ、通信インタフェース及び一つ又は複数のプログラムを備え、ここで、前記一つ又は複数のプログラムが前記メモリに記憶され、そして前記プロセッサによって実行されるように構成され、前記プログラムが本出願の実施例の第一の態様におけるいずれかの方法のステップを実行するための命令を含む。
【０００９】
第六の態様では、本出願の実施例によるネットワーク装置は、プロセッサ、メモリ、送受信機及び一つ又は複数のプログラムを備え、ここで、前記一つ又は複数のプログラムが前記メモリに記憶され、そして前記プロセッサによって実行されるように構成され、前記プログラムが本出願の実施例の第二の態様におけるいずれかの方法のステップを実行するための命令を含む。
【００１０】
第七の態様による本出願の実施例によるコンピュータ可読記憶媒体は、電子データ交換のためのコンピュータプログラムを記憶し、ここで、前記コンピュータプログラムによりコンピュータが本出願の実施例の第一の態様のいずれかの方法に記載される一部又は全てのステップを実行する。
【００１１】
第八の態様による本出願の実施例によるコンピュータ可読記憶媒体は、電子データ交換のためのコンピュータプログラムを記憶し、ここで、前記コンピュータプログラムによりコンピュータが本出願の実施例の第二の態様のいずれかの方法に記載される一部又は全てのステップを実行する。
【００１２】
第九の態様では、本出願の実施例によるコンピュータプログラム製品は、コンピュータプログラムを記憶する非一時的コンピュータ可読記憶媒体を含み、前記コンピュータプログラムがコンピュータに本出願の実施例の第一の態様のいずれかの方法に記載される一部又は全てのステップを実行させるように動作されてもよい。該コンピュータプログラム製品は、一つのソフトウェアインストールパッケージであってもよい。
【００１３】
第十の態様では、本出願の実施例によるコンピュータプログラム製品は、コンピュータプログラムを記憶する非一時的コンピュータ可読記憶媒体を含み、前記コンピュータプログラムがコンピュータに本出願の実施例の第二の態様のいずれかの方法に記載される一部又は全てのステップを実行させるように動作されてもよい。該コンピュータプログラム製品は、一つのソフトウェアインストールパッケージであってもよい。
【発明の効果】
【００１４】
これから分かるように、本出願の実施例では、端末は、まず配置情報を取得し、ここで該配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【図面の簡単な説明】
【００１５】
【図１】本出願の実施例による可能な通信システムのネットワークアーキテクチャ図である。
【図２】本出願の実施例に係る測定配置方法のフローチャートである。
【図３】本出願の実施例に係る別の測定配置方法のフローチャートである。
【図４】本出願の実施例に係る別の測定配置方法のフローチャートである。
【図５】本出願の実施例に係る端末の構造図である。
【図６】本出願の実施例に係るネットワーク装置の構造図である。
【図７】本出願の実施例に係る端末の機能ユニットの構成ブロック図である。
【図８】本出願の実施例に係るネットワーク装置の機能ユニットの構成ブロック図である。
【図９】本出願の実施例に係る別の端末の構造図である。
【発明を実施するための形態】
【００１６】
以下に実施例又は従来技術の説明に必要な図面を簡単に説明する。
【００１７】
まず出願の実施例に係るいくつかの概念と一般的な操作方法について簡単に説明する。
【００１８】
第５世代の移動通信技術（５Ｇ：５ｔｈ−Ｇｅｎｅｒａｔｉｏｎ）の新しいエアインタフェース（ＮＲ：Ｎｅｗ  Ｒａｄｉｏ）は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）組織で新たに提案された課題である。次世代の５Ｇ技術の討論が徐々に深まるにつれて、通信システムが後方互換性を有するため、後に開発された新しい技術は以前に標準化された技術と互換する傾向があり、他方では、４Ｇ  ＬＴＥシステムに多くの既存の設計があるため、互換性を達成するために、５Ｇの多くの柔軟性を犠牲にし、それによって性能が低下する。したがって、現在、３ＧＰＰ組織で２つの方向に並行して研究し、ここで、後方互換性を考慮しない技術討論グループは、５Ｇ  ＮＲと呼ばれている。
【００１９】
現在、５Ｇ  ＮＲシステムの研究プロセスでは、３ＧＰＰＰ組織は、既存のＬＴＥシステムでサポートされるアイドル（ＩＤＬＥ）状態と接続（ＣＯＮＮＥＣＴＥＤ）状態に加えて、新しい状態即ち非アクティブ（ＩＮＡＣＴＩＶＥ）状態をさらに導入する。該状態の主要な機能は、端末がデータを伝送しない時に端末の測定電力消費とハンドオーバーシグナリングオーバーヘッドをできるだけ低減するとともに、端末がデータを伝送する時にリンクをできるだけ回復することに用いられる。端末が非アクティブ（ＩＮＡＣＴＩＶＥ）状態にある場合、モビリティの管理方式は、アイドル（ＩＤＬＥ）状態と同様であり、即ちセル再選択基準を使用して移動することである。端末が接続状態にある場合、端末はアイドル状態基準信号（ＲＳ）と接続状態基準信号（ＲＳ）に基づいて測定して測定結果を取得し、ネットワーク装置はこの測定結果に基づいて端末に対してハンドオーバー、セカンダリサービスノードの追加、セカンダリサービスノードの削除、セカンダリサービスノードの変更などの操作を行う。端末が非接続状態から接続状態に切り替える場合、ネットワーク装置が端末を追加する操作方式は、１、ネットワーク装置（例えば端末のプライマリサービスノード）がいかなる測定情報を取得せず、地理的位置に応じて端末に適したサービスノード（ＳＮ：Ｓｅｒｖｉｃｅ  Ｎｏｄｅ）を推測することと、２、ネットワーク装置が端末に測定を配置し、測定結果を待って追加し、この時に追加のプロセスシグナリングオーバーヘッドが大きいこととの２つの操作方式がある。
【００２０】
以下に図面と組み合わせながら本出願の実施例における技術的解決策を説明する。
【００２１】
図１を参照すると、図１は本出願の実施例に係る例示的な通信システムの可能なネットワークアーキテクチャである。該例示的な通信システムは例えば５Ｇ  ＮＲシステム及び他のそのような通信システムであってもよい。該例示的な通信システムは具体的にネットワーク装置と端末を備え、端末がネットワーク装置によって提供される移動通信ネットワークにアクセスする時に、端末とネットワーク装置が無線リンクを介して通信して接続することができ、該通信接続方式がシングル接続方式又はデュアル接続方式又はマルチ接続方式であってもよく、通信接続方式がシングル接続方式である場合、ネットワーク装置がＬＴＥ基地局又はＮＲ基地局（またｇＮＢ基地局とも呼ばれる）であってもよく、通信方式がデュアル接続方式であり（具体的に搬送波集約（ＣＡ：Ｃａｒｒｉｅｒ  Ａｇｇｒｅｇａｔｉｏｎ）技術により実現されてもよく、又は複数のネットワーク装置で実現されてもよい）、そして端末に複数のネットワーク装置が接続される場合、該ネットワーク装置がマスタ基地局（ＭＣＧ）とセカンダリ基地局（ＳＣＧ）であってもよく、基地局同士がバックホールリンク（ｂａｃｋｈａｕｌ）を介してデータバックホールを行い、マスタ基地局がＬＴＥ基地局であり、セカンダリ基地局がＬＴＥ基地局であってもよく、又は、マスタ基地局がＮＲ基地局であってもよく、セカンダリ基地局がＬＴＥ基地局であってもよく、又は、マスタ基地局がＮＲ基地局であってもよく、セカンダリ基地局がＮＲ基地局であってもよい。
【００２２】
本出願の実施例では、用語「ネットワーク」と「システム」が常に交換可能に使用され、当業者はその意味を理解することができる。本出願の実施例に係る端末は無線通信機能を備える様々なハンドヘルドデバイス、車載デバイス、ウェアラブルデバイス、コンピューティングデバイス又は無線モデムに接続された他の処理装置、及び様々な形態のユーザ装置（ＵＥ：Ｕｓｅｒ  Ｅｑｕｉｐｍｅｎｔ）、移動ステーション（ＭＳ：Ｍｏｂｉｌｅ  Ｓｔａｔｉｏｎ）、端末装置（ｔｅｒｍｉｎａｌ  ｄｅｖｉｃｅ）などを備えることができる。説明を容易にするために、上述した装置は端末と総称される。
【００２３】
図２を参照すると、図２は本出願の実施例に係る上記の例示的な通信システムに応用される測定配置方法は以下を含む。
【００２４】
２０１において、端末は、配置情報を取得し、前記配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含む。
【００２５】
ここで、上記配置情報は予め設定された配置情報であってもよく、又はネットワーク装置によって配置されて送信されてもよく、ここで一意に限定されない。
【００２６】
２０２において、前記端末は前記測定配置に従って測定結果を取得する。
【００２７】
ここで、前記測定結果は前記端末が非接続状態にある時に測定して得られる。
【００２８】
本可能な例では、前記測定結果は、接続状態にある前記端末に対するプリセット配置を行うために前記ネットワーク装置によって用いられ、前記プリセット配置がセカンダリ搬送波及び／又はセカンダリサービスノードの配置を含む。
【００２９】
本可能な例では、前記測定結果は一つ又は複数の搬送波の測定結果を含み、前記一つ又は複数の搬送波の測定結果はプリセット条件を満たす一つ又は複数の搬送波を前記端末のセカンダリ搬送波に追加するために前記ネットワーク装置によって用いられ、又は、
前記測定結果は一つ又は複数の他のサービスノードの測定結果を含み、前記一つ又は複数の他のサービスノードの測定結果は、プリセット条件を満たす一つ又は複数の他のサービスノードを前記端末のセカンダリＳＮに追加するために前記ネットワーク装置によって用いられる。
【００３０】
ここで、前記他のサービスノードは前記端末のプライマリサービスノード以外のサービスノードであり、前記プリセット条件は前記測定結果がプリセット閾値より大きいことであってよく、基地局によって実現され、ここで限定されない。
【００３１】
これから分かるように、本出願の実施例では、端末は、まず配置情報を取得し、ここで該配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【００３２】
一つの可能な例では、前記端末が前記測定配置に従って測定結果を取得した後、前記方法はさらに端末が接続状態に切り替えることと、前記端末が前記測定結果を報告することとを含む。
【００３３】
本可能な例では、前記配置情報が測定報告トリガイベントを含み、前記端末が前記測定結果を報告することは、端末が前記測定報告トリガイベントに基づき、前記測定結果を報告するか否かを判定し、前記トリガイベントが開始された場合、前記測定結果を報告することを含む。
【００３４】
ここで、前記測定報告トリガイベントは例えば、測定された隣サービスセルの信号強度又は信号品質がプリセット閾値より大きいこと、又は測定された隣サービスセルの信号強度又は信号品質が現在の接続しているサービスセルの信号強度又は信号品質より一つのオフセット（ｏｆｆｓｅｔ）大きいことなどであってもよく、ここで一意に限定されない。ここで、上述する信号強度又は信号品質は、信号強度、信号品質、信号対雑音比などの信号強度と品質を示すいかなる値を指すことができ、ここで一意に限定されない。
【００３５】
本可能な例では、前記端末が前記測定結果を報告することは、前記端末が前記ネットワーク装置へ指示情報を送信し、前記指示情報が前記測定結果を示すことに用いられることを含む。
【００３６】
一つの可能な例では、前記端末が前記測定結果を報告することは、前記端末が前記ネットワーク装置からの測定結果報告リクエストを受信することと、前記端末が前記ネットワーク装置へ前記測定結果を報告することとを含む。
【００３７】
一つの可能な例では、前記報告した前記測定結果を搬送するアップリンクシグナリングは、接続確立リクエスト、接続回復リクエスト、接続確立完了シグナリングと接続回復完了シグナリングのいずれか一つを含む。
【００３８】
一つの可能な例では、前記配置情報が基準信号の配置情報を含み、前記端末が前記測定配置に従って測定結果を取得することは、前記端末が非アクティブ状態に切り替えた後に、前記測定配置に従って前記基準信号を測定して測定結果を取得することを含む。
【００３９】
これから分かるように、本例では、端末は切り替えた後に測定を開始して測定結果を取得することができ、これにより、遅延処理がリアルタイム性に影響を与えることを回避し、端末を配置するためのネットワーク情報のリアルタイム性を向上させる。
【００４０】
一つの可能な例では、前記配置情報が基準信号の配置情報を含み、前記端末が前記測定配置に従って測定結果を取得することは、前記端末が非アクティブ状態に切り替えた後、且つアップリンクデータ又はダウンリンクページングメッセージを検出した場合、前記測定配置に従って前記基準信号を測定して測定結果を取得することを含む。
【００４１】
これから分かるように、本例では、端末は非アクティブ状態に切り替えた後、需要に応じて測定して測定結果を取得し、これにより、不必要な条件下での測定に起因する追加の電力消費を回避し、端末の電力消費管理効率の向上に役立つ。
【００４２】
本可能な例では、前記基準信号はアイドル状態基準信号及び／又は接続状態基準信号を含む。
【００４３】
ここで、アイドル状態基準信号は例えばＬＴＥシステムにおけるセル基準信号（ＣＲＳ：Ｃｅｌｌ  Ｒｅｆｅｒｅｎｃｅ  Ｓｉｇｎａｌ）又は５Ｇ  ＮＲシステムにおける同期信号（ＳＳ：Ｓｙｎｃ  Ｓｉｇｎａｌ）又は同期ブロック（ＳＳ  Ｂｌｏｃｋ）（ＳＳ  Ｂｌｏｃｋが少なくともＳＳを含む）であってもよく、接続状態基準信号は例えばＬＴＥシステムにおける復調基準信号（ＤＭＲＳ：Ｄｅ  Ｍｏｄｕｌａｔｉｏｎ  Ｒｅｆｅｒｅｎｃｅ  Ｓｉｇｎａｌ）、チャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、又は５ＧシステムにおけるＣＳＩ−ＲＳであってもよく、ここで一意に限定されない。
【００４４】
一つの可能な例では、前記方法はさらに前記端末が、現在のエリアが測定有効エリアに属しないことを検出した場合、及び／又は現在の時間が測定有効時間に属しないことを検出した場合に、前記配置情報を解放することを含む。
【００４５】
これから分かるように、本例では、端末は、測定条件を満たしないことを検出した後に配置情報に関連付けられたリソースに対する占有をリアルタイムに解除し、これにより、端末の無線伝送リソースの管理効率の向上に役立つ。
【００４６】
一つの可能な例では、前記配置情報を搬送するシグナリングは無線リソース接続（ＲＲＣ）の接続解放シグナリング又はＲＲＣ再構成シグナリングであり、
前記配置情報は、測定周波数、測定モード、測定有効時間と測定有効エリアのうちの少なくとも一つを含む。
【００４７】
ここで、前記測定周波数は測定のスペクトル周波数を含む。前記測定有効時間は、該測定配置が非アクティブ状態になった後にどのぐらいになってから有効になるかを示すことに用いられ、前記測定有効エリアは、一つ又は複数のセルを含み、又は一つ又は複数の無線アクセスネットワークエリア（ＲＡＮ  Ａｒｅａ）を含む。
【００４８】
これから分かるように、本例では、配置情報は、測定して測定結果を取得するように端末に正確に指示することができ、これにより、端末のネットワーク配置の精度を向上させることに役立ち、また、追加のシグナリングオーバーヘッドを削減させ、配置効率を向上させる。
【００４９】
図３を参照すると、図３は本出願の実施例に係る上記の例示的な通信システムに応用される測定配置方法は、以下を含む。
【００５０】
３０１において、ネットワーク装置は配置情報を送信し、前記配置情報が、端末が非接続状態にある時の測定配置を含み、前記配置情報が、端末が前記測定配置に従って測定して測定結果を取得することに用いられ、前記非接続状態が少なくともアイドル（ＩＤＬＥ）状態と非アクティブ（ＩＮＡＣＴＩＶＥ）状態のうちの一つを含む。
【００５１】
３０２において、前記ネットワーク装置は前記測定結果を取得し、前記測定結果が、前記端末が接続状態に切り替えた後に報告するものである。
【００５２】
ここで、前記測定結果は前記端末が非接続状態にある時に測定して得られる。
【００５３】
３０３において、前記ネットワーク装置は、前記測定結果に基づいて接続状態にある前記端末に対してプリセット配置を行い、前記プリセット配置がセカンダリ搬送波及び／又はセカンダリサービスノードの配置を含む。
【００５４】
一つの可能な例では、前記測定結果は一つ又は複数の搬送波の測定結果を含み、前記ネットワーク装置が前記測定結果に基づいて接続状態にある前記端末に対してプリセット配置を行うことは、前記ネットワーク装置がプリセット条件を満たす一つ又は複数の搬送波を前記端末のセカンダリ搬送波に追加し、ここで、前記プリセット条件が、前記測定結果がプリセット閾値より大きいことであってもよいことを含む。
【００５５】
一つの可能な例では、前記測定結果が一つ又は複数の他のサービスノードの測定結果を含み、前記ネットワーク装置が前記測定結果に基づいて接続状態にある前記端末に対してプリセット配置を行うことは、前記ネットワーク装置がプリセット条件を満たす一つ又は複数の搬送波を前記端末のセカンダリ搬送波に追加し、ここで、前記他のサービスノードが前記端末のプライマリサービスノード以外のサービスノードであり、前記プリセット条件が、前記測定結果がプリセット閾値より大きいことであってもよいことを含む。
【００５６】
これから分かるように、本出願の実施例では、端末は、まず配置情報を取得し、ここで該配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【００５７】
一つの可能な例では、前記配置情報は基準信号の配置情報を含む。
【００５８】
一つの可能な例では、前記基準信号はアイドル状態基準信号及び／又は接続状態基準信号を含む。
【００５９】
一つの可能な例では、前記配置情報が測定報告トリガイベントを含み、前記測定結果は、前記端末が前記測定報告トリガイベントに基づき、前記測定結果を報告するか否かを判定し、そうである場合、報告するものである。
【００６０】
一つの可能な例では、前記ネットワーク装置が前記測定結果を取得することは、前記ネットワーク装置が前記端末からの指示情報を受信し、前記指示情報が前記測定結果を示すことに用いられることを含む。
【００６１】
一つの可能な例では、前記ネットワーク装置が前記測定結果を取得することは、前記ネットワーク装置が前記端末へ測定結果報告リクエストを送信することと、前記ネットワーク装置が、前記端末が前記測定結果報告リクエストに応答して報告した前記測定結果を受信することとを含む。
【００６２】
一つの可能な例では、前記測定結果を搬送するアップリンクシグナリングは、接続確立リクエスト、接続回復リクエスト、接続確立完了シグナリングと接続回復完了シグナリングのいずれか一つを含む。
【００６３】
一つの可能な例では、前記配置情報を搬送するシグナリングは無線リソース接続（ＲＲＣ）の接続解放シグナリング又はＲＲＣ再構成シグナリングであり、
前記配置情報は、測定周波数、測定モード、測定有効時間と測定有効エリアのうちの少なくとも一つを含む。
【００６４】
図２と図３の実施例と一致し、図４を参照し、図４は本出願の実施例に係る上記の例示的な通信システムに応用される測定配置方法は、以下を含む。
【００６５】
４０１において、ネットワーク装置は、配置情報を送信し、前記配置情報が、端末が非接続状態にある時の測定配置を含み、前記配置情報が、端末が前記測定配置に従って測定して測定結果を取得することに用いられ、前記非接続状態が少なくともアイドル（ＩＤＬＥ）状態と非アクティブ（ＩＮＡＣＴＩＶＥ）状態のうちの一つを含むことを含む。
【００６６】
４０２において、端末は、配置情報を取得し、前記配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含む。
【００６７】
４０３において、前記端末は前記測定配置に従って測定結果を取得する。
【００６８】
ここで、前記測定結果は前記端末が非接続状態にある時に測定して得られる。
【００６９】
４０４において、前記端末は接続状態に切り替える。
【００７０】
４０５において、前記端末は前記測定結果を報告する。
【００７１】
４０６において、前記ネットワーク装置は前記測定結果を取得し、前記測定結果が、前記端末が接続状態に切り替えた後に報告するものである。
【００７２】
４０７において、前記ネットワーク装置は、前記測定結果に基づいて接続状態にある前記端末に対してプリセット配置を行い、前記プリセット配置がセカンダリ搬送波及び／又はセカンダリサービスノードの配置を含む。
【００７３】
一つの可能な例では、前記報告した前記測定結果は一つ又は複数の搬送波の測定結果を含み、前記一つ又は複数の搬送波の測定結果はプリセット条件を満たす一つ又は複数の搬送波を前記端末のセカンダリ搬送波に追加するために前記ネットワーク装置によって用いられ、又は、
前記報告した測定結果は一つ又は複数の他のサービスノードの測定結果を含み、前記一つ又は複数の他のサービスノードの測定結果は、プリセット条件を満たす一つ又は複数の他のサービスノードを前記端末のセカンダリＳＮに追加するために前記ネットワーク装置によって用いられる。
【００７４】
ここで、前記他のサービスノードは前記端末のプライマリサービスノード以外のサービスノードであり、前記プリセット条件は前記測定結果がプリセット閾値より大きいことであってよく、基地局によって実現され、ここで限定されない。
【００７５】
これから分かるように、本出願の実施例では、端末は、まず配置情報を取得し、ここで該配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【００７６】
本可能な例では、前記配置情報が測定報告トリガイベントを含み、前記端末が前記測定結果を報告することは、端末が前記測定報告トリガイベントに基づき、前記測定結果を報告するか否かを判定し、そうである場合、前記測定結果を報告することを含む。
【００７７】
ここで、前記測定報告トリガイベントは例えば、測定された隣サービスセルの信号強度又は信号品質がプリセット閾値より大きいこと、又は測定された隣サービスセルの信号強度又は信号品質が現在の接続しているサービスセルの信号強度又は信号品質より一つのオフセット（ｏｆｆｓｅｔ）大きいことなどであってもよく、ここで一意に限定されない。ここで、上述する信号強度又は信号品質は、信号強度、信号品質、信号対雑音比などの信号信号強度と品質を示すいかなる値を指すことができ、ここで一意に限定されない。
【００７８】
一つの可能な例では、前記測定結果は、前記端末が前記測定報告トリガイベントに基づき、前記測定結果を報告するか否かを判定し、そうである場合、報告するものである。
【００７９】
本可能な例では、前記端末が前記測定結果を報告することは、前記端末が前記ネットワーク装置へ指示情報を送信し、前記指示情報が前記測定結果を示すことに用いられることを含む。
【００８０】
一つの可能な例では、前記端末が前記測定結果を報告することは、前記端末が前記ネットワーク装置からの測定結果報告リクエストを受信することと、前記端末が前記ネットワーク装置へ前記測定結果を報告することとを含む。
【００８１】
一つの可能な例では、前記ネットワーク装置が前記測定結果を取得することは、前記ネットワーク装置が前記端末からの指示情報を受信し、前記指示情報が前記測定結果を示すことに用いられることを含む。
【００８２】
一つの可能な例では、前記ネットワーク装置が前記測定結果を取得することは、前記ネットワーク装置が前記端末へ測定結果報告リクエストを送信することと、前記ネットワーク装置が、前記端末が前記測定結果報告リクエストに応答して報告した前記測定結果を受信することとを含む。
【００８３】
一つの可能な例では、前記報告した前記測定結果を搬送するアップリンクシグナリングは、接続確立リクエスト、接続回復リクエスト、接続確立完了シグナリングと接続回復完了シグナリングのいずれか一つを含む。
【００８４】
一つの可能な例では、前記配置情報が基準信号の配置情報を含み、前記端末が前記測定配置に従って測定結果を取得することは、前記端末が非アクティブ状態に切り替えた後に、前記測定配置に従って前記基準信号を測定して測定結果を取得することを含む。
【００８５】
これから分かるように、本例では、端末は切り替えた後に測定を開始して測定結果を取得することができ、これにより、遅延処理がリアルタイム性に影響を与えることを回避し、端末を配置するためのネットワーク情報のリアルタイム性を向上させる。
【００８６】
一つの可能な例では、前記配置情報が基準信号の配置情報を含み、前記端末が前記測定配置に従って測定結果を取得することは、前記端末が非アクティブ状態に切り替えた後、且つアップリンクデータ又はダウンリンクページングメッセージを検出した場合、前記測定配置に従って前記基準信号を測定して測定結果を取得することを含む。
【００８７】
これから分かるように、本例では、端末は非アクティブ状態に切り替えた後、需要に応じて測定して測定結果を取得し、これにより、不必要な条件下での測定に起因する追加の電力消費を回避し、端末の電力消費管理効率の向上に役立つ。
【００８８】
本可能な例では、前記基準信号はアイドル状態基準信号及び／又は接続状態基準信号を含む。ここで、アイドル状態基準信号は例えばＬＴＥシステムにおけるセル基準信号（ＣＲＳ：Ｃｅｌｌ  Ｒｅｆｅｒｅｎｃｅ  Ｓｉｇｎａｌ）又は５Ｇ  ＮＲシステムにおける同期信号であってもよく、接続状態基準信号は例えばＬＴＥシステムにおける復調基準信号（ＤＭＲＳ：Ｄｅ  Ｍｏｄｕｌａｔｉｏｎ  Ｒｅｆｅｒｅｎｃｅ  Ｓｉｇｎａｌ）、チャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、又は５ＧシステムにおけるＣＳＩ−ＲＳであってもよく、ここで一意に限定されない。
【００８９】
一つの可能な例では、前記方法はさらに前記端末が、現在のエリアが測定有効エリアに属しないことを検出した場合、及び／又は現在の時間が測定有効時間に属しないことを検出した場合に、前記配置情報を解放することを含む。
【００９０】
これから分かるように、本例では、端末は、測定条件を満たしないことを検出した後に配置情報に関連付けられたリソースに対する占有をリアルタイムに解除し、これにより、端末の無線伝送リソースの管理効率を向上することに役立つ。
【００９１】
一つの可能な例では、前記配置情報を搬送するシグナリングは無線リソース接続（ＲＲＣ）の接続解放シグナリング又はＲＲＣ再構成シグナリングであり、
前記配置情報は、測定周波数、測定モード、測定有効時間と測定有効エリアのうちの少なくとも一つを含む。
【００９２】
ここで、前記測定周波数は測定のスペクトル周波数を含む。前記測定有効時間は、該測定配置が非アクティブ状態になった後にどのぐらいになってから有効になるかを示すことに用いられ、前記測定有効エリアは、一つ又は複数のセルを含み、又は一つ又は複数の無線アクセスネットワークエリア（ＲＡＮ  Ａｒｅａ）を含む。
【００９３】
これから分かるように、本例では、配置情報は、測定して測定結果を取得するように端末に正確に指示することができ、これにより、端末のネットワーク配置の精度を向上させることに役立ち、また、追加のシグナリングオーバーヘッドを削減させ、配置効率を向上させる。
【００９４】
上記実施例と一致し、図５を参照し、図５は本発明の実施例に係る端末の構造図であり、図５に示すように、該端末は、一つ又は複数のプロセッサ、メモリ、通信インタフェース及び一つ又は複数のプログラムを備え、ここで、前記一つ又は複数のプログラムが前記メモリに記憶され、そして前記一つ又は複数のプロセッサによって実行されるように構成され、前記プログラムが以下のステップを実行するための命令を含む：
配置情報を取得し、前記配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含み、
前記測定配置に従って測定結果を取得する。
【００９５】
これから分かるように、本発明の実施例では、端末は、まず配置情報を取得し、ここで該配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【００９６】
一つの可能な例では、前記配置情報が基準信号の配置情報を含み、前記測定配置に従って測定結果を取得する方面において、前記プログラムにおける命令が以下の操作を実行することに用いられる：非アクティブ状態に切り替えた後に、前記測定配置に従って前記基準信号を測定して測定結果を取得し、又は、非アクティブ状態に切り替えた後、且つアップリンクデータ又はダウンリンクページングメッセージを検出した場合、前記測定配置に従って前記基準信号を測定して測定結果を取得する。
【００９７】
一つの可能な例では、前記基準信号はアイドル状態基準信号及び／又は接続状態基準信号を含む。
【００９８】
一つの可能な例では、前記プログラムはさらに以下の操作を実行するための命令を含む：前記測定配置に従って測定結果を取得した後、接続状態に切り替え、前記測定結果を報告する。
【００９９】
一つの可能な例では、前記配置情報が測定報告トリガイベントを含み、前記測定結果を報告する方面において、前記プログラムにおける命令が具体的に以下の操作を実行することに用いられる：前記測定報告トリガイベントに基づき、前記測定結果を報告するか否かを判定し、そうである場合、前記測定結果を報告する。
【０１００】
一つの可能な例では、前記測定結果を報告する方面において、前記プログラムにおける命令は、以下の操作を実行することに用いられる：前記ネットワーク装置へ指示情報を送信し、前記指示情報が前記測定結果を示すことに用いられる。
【０１０１】
一つの可能な例では、前記測定結果を報告する方面において、前記プログラムにおける命令は以下の操作を実行することに用いられる：前記ネットワーク装置からの測定結果報告リクエストを受信し、前記ネットワーク装置へ前記測定結果を報告する。
【０１０２】
一つの可能な例では、前記報告した前記測定結果を搬送するアップリンクシグナリングは、接続確立リクエスト、接続回復リクエスト、接続確立完了シグナリングと接続回復完了シグナリングのいずれか一つを含む。
【０１０３】
一つの可能な例では、前記プログラムはさらに以下の操作を実行するための命令を含む：現在のエリアが測定有効エリアに属しないことを検出すること、及び／又は現在の時間が測定有効時間に属しないことを検出した場合に、前記配置情報を解放する。
【０１０４】
一つの可能な例では、前記配置情報を搬送するシグナリングは無線リソース接続（ＲＲＣ）の接続解放シグナリング又はＲＲＣ再構成シグナリングであり、前記配置情報は、測定周波数、測定モード、測定有効時間と測定有効エリアのうちの少なくとも一つを含む。
【０１０５】
上記実施例と一致し、図６を参照し、図６は本発明の実施例に係る端末の構造図であり、図６に示すように、該端末は、一つ又は複数のプロセッサ、メモリ、通信インタフェース及び一つ又は複数のプログラムを備え、ここで、前記一つ又は複数のプログラムが前記メモリに記憶され、そして前記一つ又は複数のプロセッサによって実行されるように構成され、前記プログラムが以下のステップを実行するための命令を含む：
配置情報を送信し、前記配置情報が、端末が非接続状態にある時の測定配置を含み、前記配置情報が、端末が前記測定配置に従って測定して測定結果を取得することに用いられ、前記非接続状態が少なくともアイドル（ＩＤＬＥ）状態と非アクティブ（ＩＮＡＣＴＩＶＥ）状態のうちの一つを含む。
【０１０６】
これから分かるように、本発明の実施例では、端末は、まず配置情報を取得し、ここで該配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【０１０７】
一つの可能な例では、前記配置情報は基準信号の配置情報を含む。
【０１０８】
一つの可能な例では、前記基準信号はアイドル状態基準信号及び／又は接続状態基準信号を含む。
【０１０９】
一つの可能な例では、前記プログラムはさらに以下の操作を実行するための命令を含む：配置情報を送信した後、前記測定結果を取得し、前記測定結果が、前記端末が接続状態に切り替えた後に報告するものである。
【０１１０】
一つの可能な例では、前記配置情報が測定報告トリガイベントを含み、前記測定結果は、前記端末が前記測定報告トリガイベントに基づき、前記測定結果を報告するか否かを判定し、前記トリガイベントが開始された場合、報告するものである。
【０１１１】
一つの可能な例では、前記測定結果を取得する方面において、前記プログラムにおける命令は、以下の操作を実行することに用いられる：前記端末からの指示情報を受信し、前記指示情報が前記測定結果を示すことに用いられる。
【０１１２】
一つの可能な例では、前記測定結果を取得する方面において、前記プログラムにおける命令は具体的に以下の操作を実行することに用いられる：前記端末へ測定結果報告リクエストを送信し、前記端末が前記測定結果報告リクエストに応答して報告した前記測定結果を受信する。
【０１１３】
一つの可能な例では、前記測定結果を搬送するアップリンクシグナリングは、接続確立リクエスト、接続回復リクエスト、接続確立完了シグナリングと接続回復完了シグナリングのいずれか一つを含む。
【０１１４】
一つの可能な例では、前記配置情報を搬送するシグナリングは無線リソース接続（ＲＲＣ）の接続解放シグナリング又はＲＲＣ再構成シグナリングであり、前記配置情報は、測定周波数、測定モード、測定有効時間と測定有効エリアのうちの少なくとも一つを含む。
【０１１５】
一つの可能な例では、前記プログラムはさらに以下の操作を実行するための命令を含む：前記測定結果に基づいて接続状態にある前記端末に対してプリセット配置を行い、前記プリセット配置がセカンダリ搬送波及び／又はセカンダリサービスノードの配置を含む。
【０１１６】
以上に各ネットワーク要素間のインタラクションの観点から本出願の実施例の解決策を説明した。端末とネットワーク装置が上記機能を実現するために、各機能を実行するための対応するハードウェア構造及び／又はソフトウェアモジュールを備えることは理解できる。当業者は、本明細書で開示された実施例と組み合わせて説明された各例のユニット及びアルゴリズムステップが本出願でハードウェア又はハードウェアとコンピュータソフトウェアの組み合わせで実現されてもいよいことを容易に理解するべきである。ある機能がハードウエア又はコンピュータソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１１７】
本出願の実施例は上記方法の例に基づいて端末とネットワーク装置に対して機能ユニットの区分を行うことができ、例えば、各機能に対応して各機能ユニットを区分することができ、２つ以上の機能を一つの処理ユニットに統合することもできる。上記の統合されたユニットはハードウェアの形態で実現されてもよいし、ソフトウェアプログラムモジュールの形態で実現されてもよい。説明すべきものとして、本出願の実施例ではユニットに対する区分は概略的であり、論理的な機能区分に過ぎず、実際に実施する時に他の区分方式があり得る。
【０１１８】
統合されたユニットを用いる場合、図７に上記実施例に係る端末の一つの可能な機能ユニット構成ブロック図が示される。端末７００は処理ユニット７０２と通信ユニット７０３を備える。処理ユニット７０２は端末の動作を制御して管理するように構成され、例えば、処理ユニット７０２は端末が図２におけるステップ２０２−２０３、図４におけるステップ４０２−４０５及び／又は本明細書に記載される技術のための他のプロセスを実行することをサポートするように構成される。通信ユニット７０３は端末と他の装置の通信、例えば図５に示されるネットワーク装置との通信をサポートするように構成される。端末は端末のプログラムコードとデータを記憶するように構成される記憶ユニット７０１をさらに備えることができる。
【０１１９】
ここで、処理ユニット７０２は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、ハードウェア部材又はそれらの任意の組み合わせであってもよい。それは本出願で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサ、ＤＳＰとマイクロプロセッサの組み合わせなどを含む。通信ユニット７０３は送受信機、送受信回路などであってもよく、記憶ユニット７０１はメモリであってもよい。
【０１２０】
ここで、前記処理ユニット７０２は前記通信ユニット７０３を介して配置情報を取得し、前記配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含み、前記通信ユニット７０３を介して前記測定配置に従って測定結果を取得するように構成される。
【０１２１】
一つの可能な例では、前記配置情報が基準信号の配置情報を含み、前記測定配置に従って測定結果を取得する方面において、前記処理ユニット７０２は、具体的に非アクティブ状態に切り替えた後に、前記測定配置に従って前記基準信号を測定して測定結果を取得し、又は、非アクティブ状態に切り替えた後、且つアップリンクデータ又はダウンリンクページングメッセージを検出した場合、前記測定配置に従って前記基準信号を測定して測定結果を取得するように構成される。
【０１２２】
一つの可能な例では、前記基準信号はアイドル状態基準信号及び／又は接続状態基準信号を含む。
【０１２３】
一つの可能な例では、前記処理ユニット７０２は前記通信ユニット７０３を介して前記測定配置に従って測定結果を取得した後、さらに接続状態に切り替え、前記測定結果を報告するように構成される。
【０１２４】
一つの可能な例では、前記配置情報が測定報告トリガイベントを含み、前記測定結果を報告する方面において、前記処理ユニット７０２が具体的に前記測定報告トリガイベントに基づき、前記測定結果を報告するか否かを判定し、そうである場合、前記測定結果を報告するように構成される。
【０１２５】
一つの可能な例では、前記測定結果を報告する方面において、前記処理ユニット７０２は、具体的に前記通信ユニット７０３を介して前記ネットワーク装置へ指示情報を送信するように構成され、前記指示情報が前記測定結果を示すことに用いられる。
【０１２６】
一つの可能な例では、前記測定結果を報告する方面において、前記処理ユニット７０２は、具体的に前記通信ユニット７０３を介して前記ネットワーク装置からの測定結果報告リクエストを受信し、前記通信ユニット７０３を介して前記ネットワーク装置へ前記測定結果を報告するように構成される。
【０１２７】
一つの可能な例では、前記報告した前記測定結果を搬送するアップリンクシグナリングは、接続確立リクエスト、接続回復リクエスト、接続確立完了シグナリングと接続回復完了シグナリングのいずれか一つを含む。
【０１２８】
一つの可能な例では、前記処理ユニット７０２はさらに現在のエリアが測定有効エリアに属しないことを検出するように構成され、及び／又は現在の時間が測定有効時間に属しないことを検出した場合に、前記配置情報を解放するように構成される。
【０１２９】
一つの可能な例では、前記配置情報を搬送するシグナリングは無線リソース接続（ＲＲＣ）の接続解放シグナリング又はＲＲＣ再構成シグナリングであり、
前記配置情報は、測定周波数、測定モード、測定有効時間と測定有効エリアのうちの少なくとも一つを含む。
【０１３０】
処理ユニット７０２がプロセッサであり、通信ユニット７０３が通信インタフェースであり、記憶ユニット７０１がメモリである場合、本出願の実施例に係る端末は図４に示す端末であってもよい。
【０１３１】
統合されたユニットを用いる場合、図８に上記実施例に係るネットワーク装置の一つの可能な機能ユニット構成ブロック図が示される。ネットワーク装置８００は処理ユニット８０２と通信ユニット８０３を備える。処理ユニット８０２はネットワーク装置の動作を制御して管理するように構成され、例えば、処理ユニット８０２はネットワーク側装置が図３のステップ３０１〜３０３、図４における４０１、４０６、４０７及び／又は本明細書に記載される技術のための他のプロセスを実行することをサポートするように構成される。通信ユニット８０３はネットワーク装置と他の装置の通信、例えば図４に示される端末との通信をサポートするように構成される。ネットワーク装置はさらにネットワーク装置のプログラムコードとデータを記憶するように構成される記憶ユニット８０１をさらに備えることができる。
【０１３２】
ここで、処理ユニット８０２は、プロセッサ又はコントローラであってもよく、通信ユニット８０３は、送受信機、送受信回路、ＲＦチップなどであってもよく、記憶ユニット８０１はメモリであってもよい。
【０１３３】
ここで、前記処理ユニット８０２は前記通信ユニット８０３を介して配置情報を送信するように構成され、前記配置情報が、端末が非接続状態にある時の測定配置を含み、前記配置情報が測定結果を取得するために端末によって用いられ、前記非接続状態が少なくともアイドル（ＩＤＬＥ）状態と非アクティブ（ＩＮＡＣＴＩＶＥ）状態のうちの一つを含む。
【０１３４】
一つの可能な例では、前記配置情報は基準信号の配置情報を含む。
【０１３５】
一つの可能な例では、前記基準信号はアイドル状態基準信号及び／又は接続状態基準信号を含む。
【０１３６】
一つの可能な例では、前記処理ユニット８０２は、前記通信ユニット８０３を介して配置情報を送信した後、さらに前記通信ユニット８０３を介して前記測定結果を取得するように構成され、前記測定結果が、前記端末が接続状態に切り替えた後に報告するものである。
【０１３７】
一つの可能な例では、前記配置情報が測定報告トリガイベントを含み、前記測定結果は、前記端末が前記測定報告トリガイベントに基づき、前記測定結果を報告するか否かを判定し、前記トリガイベントが開示された場合、報告するものである。
【０１３８】
一つの可能な例では、前記測定結果を取得する方面において、前記処理ユニット８０２は、具体的に前記通信ユニット８０３を介して前記端末からの指示情報を受信するように構成され、前記指示情報が前記測定結果を示すことに用いられる。
【０１３９】
一つの可能な例では、前記測定結果を取得する方面において、前記処理ユニット８０２は、具体的に前記通信ユニット８０３を介して前記端末へ測定結果報告リクエストを送信し、前記通信ユニット８０３を介して端末が前記測定結果報告リクエストに応答して報告した前記測定結果を受信するように構成される。
【０１４０】
一つの可能な例では、前記測定結果を搬送するアップリンクシグナリングは、接続確立リクエスト、接続回復リクエスト、接続確立完了シグナリングと接続回復完了シグナリングのいずれか一つを含む。
【０１４１】
一つの可能な例では、前記配置情報を搬送するシグナリングは無線リソース接続（ＲＲＣ）の接続解放シグナリング又はＲＲＣ再構成シグナリングであり、
前記配置情報は、測定周波数、測定モード、測定有効時間と測定有効エリアのうちの少なくとも一つを含む。
【０１４２】
一つの可能な例では、前記処理ユニット８０２は、さらに前記測定結果に基づいて接続状態にある前記端末に対してプリセット配置を行うように構成され、前記プリセット配置がセカンダリ搬送波及び／又はセカンダリサービスノードの配置を含む。
【０１４３】
処理ユニット８０２がプロセッサであり、通信ユニット８０３が通信インタフェースであり、記憶ユニット８０１がメモリである場合、本出願の実施例に係るネットワーク装置は図５に示すネットワーク装置であってもよい。
【０１４４】
本出願の実施例はさらに別の端末を提供し、図９に示すように、説明を容易にするために、本出願の実施例と関連する部分だけが示され、具体的な技術的詳細については、本出願の実施例の方法部分を参照する。該端末は携帯電話、タブレット型コンピュータ、ＰＤＡ（Ｐｅｒｓｏｎａｌ  Ｄｉｇｉｔａｌ  Ａｓｓｉｓｔａｎｔ：パーソナルデジタルアシスタント）、ＰＯＳ（Ｐｏｉｎｔ  ｏｆ  Ｓａｌｅｓ：販売端末）、車載型コンピュータなどを含む任意の端末装置であってもよく、端末を例とする。
【０１４５】
図９は本出願の実施例に係る端末と関連付けられた携帯電話の部分構造のブロック図である。図９を参照すると、携帯電話は無線周波数（ＲＦ：Ｒａｄｉｏ  Ｆｒｅｑｕｅｎｃｙ）回路９１０、メモリ９２０、入力ユニット９３０、表示ユニット９４０、センサー９５０、オーディオ回路９６０、ワイヤレスフィデリティ（ＷｉＦｉ：Ｗｉｒｅｌｅｓｓ  Ｆｉｄｅｌｉｔｙ）モジュール９７０、プロセッサ９８０、及び電源９９０などの部材を含む。当業者であれば、図９に示す携帯電話の構成が携帯電話を限定するためのものではなく、図示よりもより多い又はより少ない部材を含むことができ、又はいくつかの部品、又は異なる部材を組み合わせて配置されてもよいことを理解できる。
【０１４６】
以下に図９と組み合わせて携帯電話の各構成部材を具体的に説明する。
【０１４７】
ＲＦ回路９１０は情報の受信及び送信に用いられてもよい。通常、ＲＦ回路９１０はアンテナ、少なくとも一つの増幅器、送受信機、カプラ、低雑音増幅器（ＬＮＡ：Ｌｏｗ  Ｎｏｉｓｅ  Ａｍｐｌｉｆｉｅｒ）、デュプレクサなどを含むがこれらに限定されない。また、ＲＦ回路９１０はさらに無線通信及びネットワークを介して他の装置と通信することができる。上記無線通信は、いずれかの通信基準又はプロトコルを用いることができ、グローバル移動体通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：ｉｄｅｂａｎｄ  Ｃｏｄｅ  Ｄｉｖｉｓｉｏｎ  Ｍｕｌｔｉｐｌｅ  Ａｃｃｅｓｓ）、長期進化型（ＬＴＥ：Ｌｏｎｇ  Ｔｅｒｍ  Ｅｖｏｌｕｔｉｏｎ）、電子メール、ショートメッセージングサービス（ＳＭＳ：Ｓｈｏｒｔ  Ｍｅｓｓａｇｉｎｇ  Ｓｅｒｖｉｃｅ）などを含むがこれらに限定されない。
【０１４８】
メモリ９２０はソフトウェアプログラム及びモジュールを記憶するように構成されてもよく、プロセッサ９８０はメモリ９２０に記憶されたソフトウェアプログラム及びモジュールを動作させることにより、携帯電話の各種の機能アプリケーション及びデータ処理を実行する。メモリ９２０は主にプログラム記憶領域とデータ記憶領域を含むことができ、ここでプログラム記憶領域がオペレーティングシステム、少なくとも一つの機能に必要なアプリケーションプログラムなどを記憶することができ、データ記憶領域が携帯電話の使用に応じて作成されたデータ等を記憶することができる。また、リザーバ９２０は高速ランダムアクセスメモリを含むことができ、さらに不揮発性メモリ、例えば少なくとも一つの磁気ディスク記憶デバイス、フラッシュメモリデバイス、又は他の揮発性ソリッドステートメモリデバイスを含むことができる。
【０１４９】
入力ユニット９３０は入力された数字又は文字情報を受信し、携帯電話のユーザ設定及び機能制御に関するキー信号入力を生成するように構成されてもよい。具体的には、入力ユニット９３０は指紋識別モジュール９３１及び他の入力装置９３２を含むことができる。指紋識別モジュール９３１はその上のユーザの指紋データを収集することができる。指紋識別モジュール９３１に加えて、入力ユニット９３０はさらに他の入力装置９３２を含むことができる。具体的には、他の入力装置９３２はタッチスクリーン、物理キーボード、機能キー（例えば音量制御キー、スイッチキー等）、トラックボール、マウス、ジョイスティックなどのうちの一つ又は複数を含むことができるがこれらに限定されない。
【０１５０】
表示ユニット９４０はユーザにより入力された情報又はユーザに供給された情報及び携帯電話の様々なメニューを表示することに用いられてもよい。表示ユニット９４０はディスプレイ９４１を含むことができ、選択可能に、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）などの形態でディスプレイ９４１を配置することができる。図９では、指紋識別モジュール９３１とディスプレイ９４１は二つの独立した部材として携帯電話の入力及び入力機能を実現するが、いくつかの実施例では、指紋識別モジュール９３１とディスプレイ９４１を統合して携帯電話の入力と放送機能を実現することができる。
【０１５１】
携帯電話はさらに少なくとも一つのセンサー９５０、例えば光センサー、モーションセンサ及び他のセンサーを備えることができる。具体的には、光センサーは周辺光センサー及び近接センサーを含むことができ、ここで、周辺光センサーが周辺光の明るさに応じてディスプレイ９４１の輝度を調節することができ、近接センサーが携帯電話が耳に移動する時に、ディスプレイ９４１び／又はバックライトをオフにすることができる。モーションセンサの一種として、加速度センサーは各方向（一般的に三つの軸である）の加速度の大きさを検出でき、静止する時に重力の大きさ及び方向を検出でき、携帯電話ジェスチャーの用途（例えば水平及び垂直画面の切り替え、関連ゲーム、磁力計のジェスチャー校正）への識別、関連機能（例えば歩数計、叩き）への振動識別などに用いられてもよく、携帯電話に対してジャイロ、気圧計、湿度計、温度計、赤外線センサー等の他のセンサを配置することもでき、ここで説明を省略する。
【０１５２】
オーディオ回路９６０、スピーカ９６１、マイクロフォン９６２はユーザと携帯電話との間のオーディオインタフェースを提供することができる。オーディオ回路９６０は受信されたオーディオデータが変換された電気信号を、スピーカ９６１に伝送することができ、スピーカ９６１によって音声信号に変換して放送し、一方では、マイクロホン９６２は収集された音声信号を電気信号に変換し、オーディオ回路９６０によって受信してオーディオデータに変換し、オーディオデータをプロセッサ９８０に放送して処理した後、ＲＦ回路９１０を介して例えば別の携帯電話に送信し、又はオーディオデータをメモリ９２０に放送して処理する。
【０１５３】
ＷｉＦｉが短距離無線伝送技術に属し、携帯電話はＷｉＦｉモジュール９７０を介してユーザによる電子メールの送受信、ウェウブページへの閲覧及びストリーミングメディアへのアクセスなどに役立つことができ、それはユーザに無線広帯域インターネットアクセスを提供する。図９にＷｉＦｉモジュール９７０が示されるが、それが携帯電話の必要な構成に属せず、完全に需要に応じて発明の本質を変更しない範囲で省略されてもよいことは、理解できる。
【０１５４】
プロセッサ９８０は携帯電話の制御センターであり、様々なインタフェース又は回線を用いて携帯電話全体の各部分を接続し、メモリ９２０に記憶されたソフトウェアプログラム及び／又はモジュールを動作又は実行し、メモリ９２０に記憶されたデータを呼び出し、携帯電話の様々な機能及び処理データを実行することにより、携帯電話全体を監視する。選択可能に、プロセッサ９８０は一つ又は複数の処理ユニットを含むことができ、好ましくは、プロセッサ９８０はアプリケーションプロセッサとモデムプロセッサを統合すことができ、ここで、アプリケーションプロセッサが主に操作システム、ユーザインタフェースとアプリケーションプログラムなどを処理し、モデムプロセッサが主に無線通信を処理する。上記モデムプロセッサがプロセッサ９８０に集積されなくてもよいことは、理解できる。
【０１５５】
携帯電話はさらに各部品に電力を供給する電源９９０（例えば電池）を含み、好ましくは、電源は電源管理システムを介してプロセッサ９８０に論理的に接続されてもよく、これにより電源管理システムによって充電、放電、及び電力消費管理などの機能を実現する。
【０１５６】
図示していないが、携帯電話はさらにカメラ、ブルートゥースモジュール等を備えることができ、ここでは説明を省略する。
【０１５７】
前記図２〜図４に示す実施例では、各ステップ方法における端末側のプロセスは該携帯電話の構造に基づいて実現されてもよい。
【０１５８】
前記図４、図５に示す実施例では、各ユニットの機能は該携帯電話の構造に基づいて実現されてもよい。
【０１５９】
本出願の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例における端末で説明された一部又は全てのステップを実行する。
【０１６０】
本出願の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例におけるネットワーク装置で説明された一部又は全てのステップを実行する。
【０１６１】
本出願の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法における端末に記載される一部又は全てのステップを実行させるように動作されてもよい。該コンピュータプログラム製品は、一つのソフトウェアインストールパッケージであってもよい。
【０１６２】
本出願の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法におけるネットワーク装置に記載される一部又は全てのステップを実行させるように動作されてもよい。該コンピュータプログラム製品は、一つのソフトウェアインストールパッケージであってもよい。
【０１６３】
本出願の実施例で説明された方法又はアルゴリズムのステップはハードウェアで実現されてもよいし、プロセッサがソフトウェア命令を実行することで実現されてもよい。ソフトウェア命令が対応するソフトウェアモジュールで構成されてもよく、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブルＲＯＭ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、モバイルハードディスク、読み出し専用光ディスク（ＣＤ−ＲＯＭ）又は本分野の既知のいかなる他の形態の記憶媒体に記憶されてもよい。例示的な記憶媒体はプロセッサに結合され、これによりプロセッサは該記憶媒体から情報を読み取ることができ、且つ該記憶媒体に情報を書き込むことができる。当然、記憶媒体はプロセッサの構成部分であってもよい。プロセッサと記憶媒体はＡＳＩＣに位置してもよい。また、該ＡＳＩＣはアクセスネットワーク装置、ターゲットネットワーク装置又はコアネットワーク装置に位置してもよい。当然、プロセッサと記憶媒体はディスクリートコンポーネントとしてアクセスネットワーク装置、ターゲットネットワーク装置又はコアネットワーク装置に位置してもよい。
【０１６４】
当業者は、上述した一つ又は複数の例において、本出願の実施例で説明された機能が全部又は一部でソフトウェア、ハードウェア、ファームウェア又はそれらの任意の組み合わせによって実現されてもよいことを理解することができる。ソフトウェアで実行される場合、全て又は部分的にコンピュータプログラム製品の形で実施されてもよい。前記コンピュータプログラム製品は一つ又は複数のコンピュータ命令を含む。コンピュータで前記コンピュータプログラム命令をロードして実行する場合、本出願の実施例に従って説明されたプロセス又は機能を全て部分的に生成する。前記コンピュータは汎用コンピュータ、専用コンピュータ、コンピュータネットワーク、又は他のプログラマブルデバイスであってもよい。前記コンピュータ命令はコンピュータ可読記憶媒体に記憶されてもよく、又は一つのコンピュータ読記憶媒体から別のコンピュータ読記憶媒体に伝送されてもよく、例えば、前記コンピュータ命令は一つウェブサイト、コンピュータ、サーバ又はデータセンターから有線（例えば同軸ケーブル、光ファイバ、デジタル加入者線（ＤＳＬ：Ｄｉｇｉｔａｌ  Ｓｕｂｓｃｒｉｂｅｒ  Ｌｉｎｅ））又は無線（例えば赤外線、無線、マイクロ波など）で別のウェブサイト、コンピュータ、サーバ又はデータセンターに伝送されてもよい。前記コンピュータ読記憶媒体はコンピュータがアクセスできるいかなる利用可能な媒体であってもよく、又は一つ又は複数の利用可能な媒体で集積されたサーバ、データセンターなどのデータ記憶装置を含む。前記利用可能な媒体は磁気磁気媒体（例えばフロッピーディスク、ハードディスク、磁気テープ）、光学媒体（例えばデジタルビデオディスク（ＤＶＤ：Ｄｉｇｉｔａｌ  Ｖｉｄｅｏ  Ｄｉｓｃ））、又は半導体媒体（例えばソリッドステートディスク（ＳＳＤ：Ｓｏｌｉｄ  Ｓｔａｔｅ  Ｄｉｓｋ））などであってもよい。
【０１６５】
上記の具体的な実施形態では、本出願の実施例の目的、技術的解決策と有益な効果をさらに詳しく説明し、理解すべきものとして、上記は本出願の具体的な実施例の具体的な実施形態に過ぎず、本出願の実施例の保護範囲を限定するためのものではなく、本出願の実施例の技術的解決策に基づいて行われるいかなる修正、同等置き換え、改良などは、いずれも本開示の保護範囲内に含まれるべきである。
【図１】
2020532149.tif 000003
【図２】
2020532149.tif 000004
【図３】
2020532149.tif 000005
【図４】
2020532149.tif 000006
【図５】
2020532149.tif 000007
【図６】
2020532149.tif 000008
【図７】
2020532149.tif 000009
【図８】
2020532149.tif 000010
【図９】
2020532149.tif 000011
【手続補正書】
【提出日】令和2年6月22日(2020.6.22)
【手続補正１】
【補正対象書類名】明細書
【補正対象項目名】全文
【補正方法】変更
【補正の内容】
【発明の詳細な説明】
【技術分野】
【０００１】
本出願は通信技術分野に関し、特に測定配置方法及び関連製品に関する。
【背景技術】
【０００２】
第４世代の移動通信技術（４Ｇ：ｔｈｅ  ４ｔｈ  Ｇｅｎｅｒａｔｉｏｎ  ｍｏｂｉｌｅ  ｃｏｍｍｕｎｉｃａｔｉｏｎ  ）による長期進化型（ＬＴＥ：Ｌｏｎｇ  Ｔｅｒｍ  Ｅｖｏｌｕｔｉｏｎ）システムでは、端末が接続状態にある場合、端末は、アイドル状態基準信号（ＲＳ：Ｒｅｆｅｒｅｎｃｅ  Ｓｉｇｎａｌ）と接続状態基準信号（ＲＳ）に基づいて測定し、測定精度が高い。ネットワークは、これに基づいて端末に対してハンドオーバー、セカンダリサービスノードの追加、セカンダリサービスノードの削除、セカンダリサービスノードの変更などの操作を行う。端末が非接続状態（例えばＩＤＬＥ又はＩＮＡＣＴＩＶＥ）にある場合、端末は、ネットワーク信号の測定精度が高くなく、セル選択及び再選択の依拠のみとして使用されてもよいが、ハンドオーバー、及びセカンダリサービスノードの追加／削除／変更などの操作の依拠として使用されることができない。
【発明の概要】
【発明が解決しようとする課題】
【０００３】
本出願の実施例は、フィードバックされたアップリンク制御シグナリングのビット数を確定し、アップリンク制御シグナリングオーバーヘッドを削減させるように、測定配置方法及び関連製品を提供する。
【課題を解決するための手段】
【０００４】
第一の態様では、本出願の実施例による測定配置方法は、
端末が測定配置情報を取得し、前記測定配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含むことと、
前記端末が前記測定配置に従って測定結果を取得することとを含む。
【０００５】
第二の態様では、本出願の実施例による測定配置方法は、
ネットワーク装置が測定配置情報を送信し、前記測定配置情報が、端末が非接続状態にある時の測定配置を含み、前記測定配置情報が、端末が前記測定配置に従って測定して測定結果を取得することに用いられ、前記非接続状態が少なくともアイドル（ＩＤＬＥ）状態と非アクティブ（ＩＮＡＣＴＩＶＥ）状態のうちの一つを含むことを含む。
【０００６】
第三の態様では、本出願の実施例による端末は、上記方法設計における端末の動作を実施する機能を備える。前記機能は、ハードウェアによって実現されてもよいし、ハードウェアによって対応するソフトウェアを実行して実現されてもよい。前記ハードウェア又はソフトウェアは、上記機能に対応する一つ又は複数のモジュールを含む。一つの可能な設計において、端末は、プロセッサを備え、前記プロセッサが、端末が上記方法における対応する機能を実行することをサポートするように構成される。さらに、端末はさらに送受信機を備え、前記送受信機が端末とネットワーク装置の間の通信をサポートするように構成される。さらに、端末はさらにメモリをさらに備えることができ、前記メモリが端末に必要なプログラム命令とデータを保存するためのロセッサと結合するように構成される。
【０００７】
第四の態様では、本出願の実施例によるネットワーク装置は、上記方法設計におけるネットワーク装置の動作を実施する機能を備える。前記機能は、ハードウェアによって実現されてもよいし、ハードウェアによって対応するソフトウェアを実行して実現されてもよい。前記ハードウェア又はソフトウェアは上記機能に対応する一つ又は複数のモジュールを含む。一つの可能な設計において、ネットワーク装置は、プロセッサを備え、前記プロセッサが、ネットワーク装置が上記方法における対応する機能を実行することをサポートするように構成される。さらに、ネットワーク装置はさらに送受信機を備え、前記送受信機がネットワーク装置と端末の間の通信をサポートするように構成される。さらに、ネットワーク装置はさらにメモリをさらに備えることができ、前記メモリがネットワーク装置に必要なプログラム命令とデータを保存するためのプロセッサと結合するように構成される。
【０００８】
第五の態様では、本出願の実施例による端末は、プロセッサ、メモリ、通信インタフェース及び一つ又は複数のプログラムを備え、ここで、前記一つ又は複数のプログラムが前記メモリに記憶され、そして前記プロセッサによって実行されるように構成され、前記プログラムが本出願の実施例の第一の態様におけるいずれかの方法のステップを実行するための命令を含む。
【０００９】
第六の態様では、本出願の実施例によるネットワーク装置は、プロセッサ、メモリ、送受信機及び一つ又は複数のプログラムを備え、ここで、前記一つ又は複数のプログラムが前記メモリに記憶され、そして前記プロセッサによって実行されるように構成され、前記プログラムが本出願の実施例の第二の態様におけるいずれかの方法のステップを実行するための命令を含む。
【００１０】
第七の態様による本出願の実施例によるコンピュータ可読記憶媒体は、電子データ交換のためのコンピュータプログラムを記憶し、ここで、前記コンピュータプログラムによりコンピュータが本出願の実施例の第一の態様のいずれかの方法に記載される一部又は全てのステップを実行する。
【００１１】
第八の態様による本出願の実施例によるコンピュータ可読記憶媒体は、電子データ交換のためのコンピュータプログラムを記憶し、ここで、前記コンピュータプログラムによりコンピュータが本出願の実施例の第二の態様のいずれかの方法に記載される一部又は全てのステップを実行する。
【００１２】
第九の態様では、本出願の実施例によるコンピュータプログラム製品は、コンピュータプログラムを記憶する非一時的コンピュータ可読記憶媒体を含み、前記コンピュータプログラムがコンピュータに本出願の実施例の第一の態様のいずれかの方法に記載される一部又は全てのステップを実行させるように動作されてもよい。該コンピュータプログラム製品は、一つのソフトウェアインストールパッケージであってもよい。
【００１３】
第十の態様では、本出願の実施例によるコンピュータプログラム製品は、コンピュータプログラムを記憶する非一時的コンピュータ可読記憶媒体を含み、前記コンピュータプログラムがコンピュータに本出願の実施例の第二の態様のいずれかの方法に記載される一部又は全てのステップを実行させるように動作されてもよい。該コンピュータプログラム製品は、一つのソフトウェアインストールパッケージであってもよい。
【発明の効果】
【００１４】
これから分かるように、本出願の実施例では、端末は、まず測定配置情報を取得し、ここで該測定配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記測定配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【図面の簡単な説明】
【００１５】
【図１】本出願の実施例による可能な通信システムのネットワークアーキテクチャ図である。
【図２】本出願の実施例に係る測定配置方法のフローチャートである。
【図３】本出願の実施例に係る別の測定配置方法のフローチャートである。
【図４】本出願の実施例に係る別の測定配置方法のフローチャートである。
【図５】本出願の実施例に係る端末の構造図である。
【図６】本出願の実施例に係るネットワーク装置の構造図である。
【図７】本出願の実施例に係る端末の機能ユニットの構成ブロック図である。
【図８】本出願の実施例に係るネットワーク装置の機能ユニットの構成ブロック図である。
【図９】本出願の実施例に係る別の端末の構造図である。
【発明を実施するための形態】
【００１６】
以下に実施例又は従来技術の説明に必要な図面を簡単に説明する。
【００１７】
第５世代の移動通信技術（５Ｇ：５ｔｈ−Ｇｅｎｅｒａｔｉｏｎ）の新しいエアインタフェース（ＮＲ：Ｎｅｗ  Ｒａｄｉｏ）は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）組織で新たに提案された課題である。次世代の５Ｇ技術の討論が徐々に深まるにつれて、通信システムが後方互換性を有するため、後に開発された新しい技術は以前に標準化された技術と互換する傾向があり、他方では、４Ｇ  ＬＴＥシステムに多くの既存の設計があるため、互換性を達成するために、５Ｇの多くの柔軟性を犠牲にし、それによって性能が低下する。したがって、現在、３ＧＰＰ組織で２つの方向に並行して研究し、ここで、後方互換性を考慮しない技術討論グループは、５Ｇ  ＮＲと呼ばれている。
【００１８】
現在、５Ｇ  ＮＲシステムの研究プロセスでは、３ＧＰＰＰ組織は、既存のＬＴＥシステムでサポートされるアイドル（ＩＤＬＥ）状態と接続（ＣＯＮＮＥＣＴＥＤ）状態に加えて、新しい状態即ち非アクティブ（ＩＮＡＣＴＩＶＥ）状態をさらに導入する。該状態の主要な機能は、端末がデータを伝送しない時に端末の測定電力消費とハンドオーバーシグナリングオーバーヘッドをできるだけ低減するとともに、端末がデータを伝送する時にリンクをできるだけ回復することに用いられる。端末が非アクティブ（ＩＮＡＣＴＩＶＥ）状態にある場合、モビリティの管理方式は、アイドル（ＩＤＬＥ）状態と同様であり、即ちセル再選択基準を使用して移動することである。端末が接続状態にある場合、端末はアイドル状態基準信号（ＲＳ）と接続状態基準信号（ＲＳ）に基づいて測定して測定結果を取得し、ネットワーク装置はこの測定結果に基づいて端末に対してハンドオーバー、セカンダリサービスノードの追加、セカンダリサービスノードの削除、セカンダリサービスノードの変更などの操作を行う。端末が非接続状態から接続状態に切り替える場合、ネットワーク装置が端末を追加する操作方式は、１、ネットワーク装置（例えば端末のプライマリサービスノード）がいかなる測定情報を取得せず、地理的位置に応じて端末に適したサービスノード（ＳＮ：Ｓｅｒｖｉｃｅ  Ｎｏｄｅ）を推測することと、２、ネットワーク装置が端末に測定を配置し、測定結果を待って追加し、この時に追加のプロセスシグナリングオーバーヘッドが大きいこととの２つの操作方式がある。
【００１９】
以下に図面と組み合わせながら本出願の実施例における技術的解決策を説明する。
【００２０】
図１を参照すると、図１は本出願の実施例に係る例示的な通信システムの可能なネットワークアーキテクチャである。該例示的な通信システムは例えば５Ｇ  ＮＲシステム及び他のそのような通信システムであってもよい。該例示的な通信システムは具体的にネットワーク装置と端末を備え、端末がネットワーク装置によって提供される移動通信ネットワークにアクセスする時に、端末とネットワーク装置が無線リンクを介して通信して接続することができ、該通信接続方式がシングル接続方式又はデュアル接続方式又はマルチ接続方式であってもよく、通信接続方式がシングル接続方式である場合、ネットワーク装置がＬＴＥ基地局又はＮＲ基地局（またｇＮＢ基地局とも呼ばれる）であってもよく、通信方式がデュアル接続方式であり（具体的に搬送波集約（ＣＡ：Ｃａｒｒｉｅｒ  Ａｇｇｒｅｇａｔｉｏｎ）技術により実現されてもよく、又は複数のネットワーク装置で実現されてもよい）、そして端末に複数のネットワーク装置が接続される場合、該ネットワーク装置がマスタ基地局（ＭＣＧ）とセカンダリ基地局（ＳＣＧ）であってもよく、基地局同士がバックホールリンク（ｂａｃｋｈａｕｌ）を介してデータバックホールを行い、マスタ基地局がＬＴＥ基地局であり、セカンダリ基地局がＬＴＥ基地局であってもよく、又は、マスタ基地局がＮＲ基地局であってもよく、セカンダリ基地局がＬＴＥ基地局であってもよく、又は、マスタ基地局がＮＲ基地局であってもよく、セカンダリ基地局がＮＲ基地局であってもよい。
【００２１】
本出願の実施例では、用語「ネットワーク」と「システム」が常に交換可能に使用され、当業者はその意味を理解することができる。本出願の実施例に係る端末は無線通信機能を備える様々なハンドヘルドデバイス、車載デバイス、ウェアラブルデバイス、コンピューティングデバイス又は無線モデムに接続された他の処理装置、及び様々な形態のユーザ装置（ＵＥ：Ｕｓｅｒ  Ｅｑｕｉｐｍｅｎｔ）、移動ステーション（ＭＳ：Ｍｏｂｉｌｅ  Ｓｔａｔｉｏｎ）、端末装置（ｔｅｒｍｉｎａｌ  ｄｅｖｉｃｅ）などを備えることができる。説明を容易にするために、上述した装置は端末と総称される。
【００２２】
図２を参照すると、図２は本出願の実施例に係る上記の例示的な通信システムに応用される測定配置方法は以下を含む。
【００２３】
２０１において、端末は、測定配置情報を取得し、前記測定配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含む。
【００２４】
ここで、上記測定配置情報は予め設定された測定配置情報であってもよく、又はネットワーク装置によって配置されて送信されてもよく、ここで一意に限定されない。
【００２５】
２０２において、前記端末は前記測定配置に従って測定結果を取得する。
【００２６】
ここで、前記測定結果は前記端末が非接続状態にある時に測定して得られる。
【００２７】
本可能な例では、前記測定結果は、接続状態にある前記端末に対するプリセット配置を行うために前記ネットワーク装置によって用いられ、前記プリセット配置がセカンダリ搬送波及び／又はセカンダリサービスノードの配置を含む。
【００２８】
本可能な例では、前記測定結果は一つ又は複数の搬送波の測定結果を含み、前記一つ又は複数の搬送波の測定結果はプリセット条件を満たす一つ又は複数の搬送波を前記端末のセカンダリ搬送波に追加するために前記ネットワーク装置によって用いられ、又は、
前記測定結果は一つ又は複数の他のサービスノードの測定結果を含み、前記一つ又は複数の他のサービスノードの測定結果は、プリセット条件を満たす一つ又は複数の他のサービスノードを前記端末のセカンダリＳＮに追加するために前記ネットワーク装置によって用いられる。
【００２９】
ここで、前記他のサービスノードは前記端末のプライマリサービスノード以外のサービスノードであり、前記プリセット条件は前記測定結果がプリセット閾値より大きいことであってよく、基地局によって実現され、ここで限定されない。
【００３０】
これから分かるように、本出願の実施例では、端末は、まず測定配置情報を取得し、ここで該測定配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記測定配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【００３１】
一つの可能な例では、前記端末が前記測定配置に従って測定結果を取得した後、前記方法はさらに端末が接続状態に切り替えることと、前記端末が前記測定結果を報告することとを含む。
【００３２】
本可能な例では、前記測定配置情報が測定報告トリガイベントを含み、前記端末が前記測定結果を報告することは、端末が前記測定報告トリガイベントに基づき、前記測定結果を報告するか否かを判定し、前記トリガイベントが開始された場合、前記測定結果を報告することを含む。
【００３３】
ここで、前記測定報告トリガイベントは例えば、測定された隣サービスセルの信号強度又は信号品質がプリセット閾値より大きいこと、又は測定された隣サービスセルの信号強度又は信号品質が現在の接続しているサービスセルの信号強度又は信号品質より一つのオフセット（ｏｆｆｓｅｔ）大きいことなどであってもよく、ここで一意に限定されない。ここで、上述する信号強度又は信号品質は、信号強度、信号品質、信号対雑音比などの信号強度と品質を示すいかなる値を指すことができ、ここで一意に限定されない。
【００３４】
本可能な例では、前記端末が前記測定結果を報告することは、前記端末が前記ネットワーク装置へ指示情報を送信し、前記指示情報が前記測定結果を示すことに用いられることを含む。
【００３５】
一つの可能な例では、前記端末が前記測定結果を報告することは、前記端末が前記ネットワーク装置からの測定結果報告リクエストを受信することと、前記端末が前記ネットワーク装置へ前記測定結果を報告することとを含む。
【００３６】
一つの可能な例では、前記報告した前記測定結果を搬送するアップリンクシグナリングは、接続確立リクエスト、接続回復リクエスト、接続確立完了シグナリングと接続回復完了シグナリングのいずれか一つを含む。
【００３７】
一つの可能な例では、前記測定配置情報が基準信号の測定配置情報を含み、前記端末が前記測定配置に従って測定結果を取得することは、前記端末が非アクティブ状態に切り替えた後に、前記測定配置に従って前記基準信号を測定して測定結果を取得することを含む。
【００３８】
これから分かるように、本例では、端末は切り替えた後に測定を開始して測定結果を取得することができ、これにより、遅延処理がリアルタイム性に影響を与えることを回避し、端末を配置するためのネットワーク情報のリアルタイム性を向上させる。
【００３９】
一つの可能な例では、前記測定配置情報が基準信号の測定配置情報を含み、前記端末が前記測定配置に従って測定結果を取得することは、前記端末が非アクティブ状態に切り替えた後、且つアップリンクデータ又はダウンリンクページングメッセージを検出した場合、前記測定配置に従って前記基準信号を測定して測定結果を取得することを含む。
【００４０】
これから分かるように、本例では、端末は非アクティブ状態に切り替えた後、需要に応じて測定して測定結果を取得し、これにより、不必要な条件下での測定に起因する追加の電力消費を回避し、端末の電力消費管理効率の向上に役立つ。
【００４１】
本可能な例では、前記基準信号はアイドル状態基準信号及び／又は接続状態基準信号を含む。
【００４２】
ここで、アイドル状態基準信号は例えばＬＴＥシステムにおけるセル基準信号（ＣＲＳ：Ｃｅｌｌ  Ｒｅｆｅｒｅｎｃｅ  Ｓｉｇｎａｌ）又は５Ｇ  ＮＲシステムにおける同期信号（ＳＳ：Ｓｙｎｃ  Ｓｉｇｎａｌ）又は同期ブロック（ＳＳ  Ｂｌｏｃｋ）（ＳＳ  Ｂｌｏｃｋが少なくともＳＳを含む）であってもよく、接続状態基準信号は例えばＬＴＥシステムにおける復調基準信号（ＤＭＲＳ：Ｄｅ  Ｍｏｄｕｌａｔｉｏｎ  Ｒｅｆｅｒｅｎｃｅ  Ｓｉｇｎａｌ）、チャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、又は５ＧシステムにおけるＣＳＩ−ＲＳであってもよく、ここで一意に限定されない。
【００４３】
一つの可能な例では、前記方法はさらに前記端末が、現在のエリアが測定有効エリアに属しないことを検出した場合、及び／又は現在の時間が測定有効時間に属しないことを検出した場合に、前記測定配置情報を解放することを含む。
【００４４】
これから分かるように、本例では、端末は、測定条件を満たしないことを検出した後に測定配置情報に関連付けられたリソースに対する占有をリアルタイムに解除し、これにより、端末の無線伝送リソースの管理効率の向上に役立つ。
【００４５】
一つの可能な例では、前記測定配置情報を搬送するシグナリングは無線リソース接続（ＲＲＣ）の接続解放シグナリング又はＲＲＣ再構成シグナリングであり、
前記測定配置情報は、測定周波数、測定モード、測定有効時間と測定有効エリアのうちの少なくとも一つを含む。
【００４６】
ここで、前記測定周波数は測定のスペクトル周波数を含む。前記測定有効時間は、該測定配置が非アクティブ状態になった後にどのぐらいになってから有効になるかを示すことに用いられ、前記測定有効エリアは、一つ又は複数のセルを含み、又は一つ又は複数の無線アクセスネットワークエリア（ＲＡＮ  Ａｒｅａ）を含む。
【００４７】
これから分かるように、本例では、測定配置情報は、測定して測定結果を取得するように端末に正確に指示することができ、これにより、端末のネットワーク配置の精度を向上させることに役立ち、また、追加のシグナリングオーバーヘッドを削減させ、配置効率を向上させる。
【００４８】
図３を参照すると、図３は本出願の実施例に係る上記の例示的な通信システムに応用される測定配置方法は、以下を含む。
【００４９】
３０１において、ネットワーク装置は測定配置情報を送信し、前記測定配置情報が、端末が非接続状態にある時の測定配置を含み、前記測定配置情報が、端末が前記測定配置に従って測定して測定結果を取得することに用いられ、前記非接続状態が少なくともアイドル（ＩＤＬＥ）状態と非アクティブ（ＩＮＡＣＴＩＶＥ）状態のうちの一つを含む。
【００５０】
３０２において、前記ネットワーク装置は前記測定結果を取得し、前記測定結果が、前記端末が接続状態に切り替えた後に報告するものである。
【００５１】
ここで、前記測定結果は前記端末が非接続状態にある時に測定して得られる。
【００５２】
３０３において、前記ネットワーク装置は、前記測定結果に基づいて接続状態にある前記端末に対してプリセット配置を行い、前記プリセット配置がセカンダリ搬送波及び／又はセカンダリサービスノードの配置を含む。
【００５３】
一つの可能な例では、前記測定結果は一つ又は複数の搬送波の測定結果を含み、前記ネットワーク装置が前記測定結果に基づいて接続状態にある前記端末に対してプリセット配置を行うことは、前記ネットワーク装置がプリセット条件を満たす一つ又は複数の搬送波を前記端末のセカンダリ搬送波に追加し、ここで、前記プリセット条件が、前記測定結果がプリセット閾値より大きいことであってもよいことを含む。
【００５４】
一つの可能な例では、前記測定結果が一つ又は複数の他のサービスノードの測定結果を含み、前記ネットワーク装置が前記測定結果に基づいて接続状態にある前記端末に対してプリセット配置を行うことは、前記ネットワーク装置がプリセット条件を満たす一つ又は複数の搬送波を前記端末のセカンダリ搬送波に追加し、ここで、前記他のサービスノードが前記端末のプライマリサービスノード以外のサービスノードであり、前記プリセット条件が、前記測定結果がプリセット閾値より大きいことであってもよいことを含む。
【００５５】
これから分かるように、本出願の実施例では、端末は、まず測定配置情報を取得し、ここで該測定配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記測定配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【００５６】
一つの可能な例では、前記測定配置情報は基準信号の測定配置情報を含む。
【００５７】
一つの可能な例では、前記基準信号はアイドル状態基準信号及び／又は接続状態基準信号を含む。
【００５８】
一つの可能な例では、前記測定配置情報が測定報告トリガイベントを含み、前記測定結果は、前記端末が前記測定報告トリガイベントに基づき、前記測定結果を報告するか否かを判定し、そうである場合、報告するものである。
【００５９】
一つの可能な例では、前記ネットワーク装置が前記測定結果を取得することは、前記ネットワーク装置が前記端末からの指示情報を受信し、前記指示情報が前記測定結果を示すことに用いられることを含む。
【００６０】
一つの可能な例では、前記ネットワーク装置が前記測定結果を取得することは、前記ネットワーク装置が前記端末へ測定結果報告リクエストを送信することと、前記ネットワーク装置が、前記端末が前記測定結果報告リクエストに応答して報告した前記測定結果を受信することとを含む。
【００６１】
一つの可能な例では、前記測定結果を搬送するアップリンクシグナリングは、接続確立リクエスト、接続回復リクエスト、接続確立完了シグナリングと接続回復完了シグナリングのいずれか一つを含む。
【００６２】
一つの可能な例では、前記測定配置情報を搬送するシグナリングは無線リソース接続（ＲＲＣ）の接続解放シグナリング又はＲＲＣ再構成シグナリングであり、
前記測定配置情報は、測定周波数、測定モード、測定有効時間と測定有効エリアのうちの少なくとも一つを含む。
【００６３】
図２と図３の実施例と一致し、図４を参照し、図４は本出願の実施例に係る上記の例示的な通信システムに応用される測定配置方法は、以下を含む。
【００６４】
４０１において、ネットワーク装置は、測定配置情報を送信し、前記測定配置情報が、端末が非接続状態にある時の測定配置を含み、前記測定配置情報が、端末が前記測定配置に従って測定して測定結果を取得することに用いられ、前記非接続状態が少なくともアイドル（ＩＤＬＥ）状態と非アクティブ（ＩＮＡＣＴＩＶＥ）状態のうちの一つを含むことを含む。
【００６５】
４０２において、端末は、測定配置情報を取得し、前記測定配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含む。
【００６６】
４０３において、前記端末は前記測定配置に従って測定結果を取得する。
【００６７】
ここで、前記測定結果は前記端末が非接続状態にある時に測定して得られる。
【００６８】
４０４において、前記端末は接続状態に切り替える。
【００６９】
４０５において、前記端末は前記測定結果を報告する。
【００７０】
４０６において、前記ネットワーク装置は前記測定結果を取得し、前記測定結果が、前記端末が接続状態に切り替えた後に報告するものである。
【００７１】
４０７において、前記ネットワーク装置は、前記測定結果に基づいて接続状態にある前記端末に対してプリセット配置を行い、前記プリセット配置がセカンダリ搬送波及び／又はセカンダリサービスノードの配置を含む。
【００７２】
一つの可能な例では、前記報告した前記測定結果は一つ又は複数の搬送波の測定結果を含み、前記一つ又は複数の搬送波の測定結果はプリセット条件を満たす一つ又は複数の搬送波を前記端末のセカンダリ搬送波に追加するために前記ネットワーク装置によって用いられ、又は、
前記報告した測定結果は一つ又は複数の他のサービスノードの測定結果を含み、前記一つ又は複数の他のサービスノードの測定結果は、プリセット条件を満たす一つ又は複数の他のサービスノードを前記端末のセカンダリＳＮに追加するために前記ネットワーク装置によって用いられる。
【００７３】
ここで、前記他のサービスノードは前記端末のプライマリサービスノード以外のサービスノードであり、前記プリセット条件は前記測定結果がプリセット閾値より大きいことであってよく、基地局によって実現され、ここで限定されない。
【００７４】
これから分かるように、本出願の実施例では、端末は、まず測定配置情報を取得し、ここで該測定配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記測定配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【００７５】
本可能な例では、前記測定配置情報が測定報告トリガイベントを含み、前記端末が前記測定結果を報告することは、端末が前記測定報告トリガイベントに基づき、前記測定結果を報告するか否かを判定し、そうである場合、前記測定結果を報告することを含む。
【００７６】
ここで、前記測定報告トリガイベントは例えば、測定された隣サービスセルの信号強度又は信号品質がプリセット閾値より大きいこと、又は測定された隣サービスセルの信号強度又は信号品質が現在の接続しているサービスセルの信号強度又は信号品質より一つのオフセット（ｏｆｆｓｅｔ）大きいことなどであってもよく、ここで一意に限定されない。ここで、上述する信号強度又は信号品質は、信号強度、信号品質、信号対雑音比などの信号信号強度と品質を示すいかなる値を指すことができ、ここで一意に限定されない。
【００７７】
一つの可能な例では、前記測定結果は、前記端末が前記測定報告トリガイベントに基づき、前記測定結果を報告するか否かを判定し、そうである場合、報告するものである。
【００７８】
本可能な例では、前記端末が前記測定結果を報告することは、前記端末が前記ネットワーク装置へ指示情報を送信し、前記指示情報が前記測定結果を示すことに用いられることを含む。
【００７９】
一つの可能な例では、前記端末が前記測定結果を報告することは、前記端末が前記ネットワーク装置からの測定結果報告リクエストを受信することと、前記端末が前記ネットワーク装置へ前記測定結果を報告することとを含む。
【００８０】
一つの可能な例では、前記ネットワーク装置が前記測定結果を取得することは、前記ネットワーク装置が前記端末からの指示情報を受信し、前記指示情報が前記測定結果を示すことに用いられることを含む。
【００８１】
一つの可能な例では、前記ネットワーク装置が前記測定結果を取得することは、前記ネットワーク装置が前記端末へ測定結果報告リクエストを送信することと、前記ネットワーク装置が、前記端末が前記測定結果報告リクエストに応答して報告した前記測定結果を受信することとを含む。
【００８２】
一つの可能な例では、前記報告した前記測定結果を搬送するアップリンクシグナリングは、接続確立リクエスト、接続回復リクエスト、接続確立完了シグナリングと接続回復完了シグナリングのいずれか一つを含む。
【００８３】
一つの可能な例では、前記測定配置情報が基準信号の測定配置情報を含み、前記端末が前記測定配置に従って測定結果を取得することは、前記端末が非アクティブ状態に切り替えた後に、前記測定配置に従って前記基準信号を測定して測定結果を取得することを含む。
【００８４】
これから分かるように、本例では、端末は切り替えた後に測定を開始して測定結果を取得することができ、これにより、遅延処理がリアルタイム性に影響を与えることを回避し、端末を配置するためのネットワーク情報のリアルタイム性を向上させる。
【００８５】
一つの可能な例では、前記測定配置情報が基準信号の測定配置情報を含み、前記端末が前記測定配置に従って測定結果を取得することは、前記端末が非アクティブ状態に切り替えた後、且つアップリンクデータ又はダウンリンクページングメッセージを検出した場合、前記測定配置に従って前記基準信号を測定して測定結果を取得することを含む。
【００８６】
これから分かるように、本例では、端末は非アクティブ状態に切り替えた後、需要に応じて測定して測定結果を取得し、これにより、不必要な条件下での測定に起因する追加の電力消費を回避し、端末の電力消費管理効率の向上に役立つ。
【００８７】
本可能な例では、前記基準信号はアイドル状態基準信号及び／又は接続状態基準信号を含む。ここで、アイドル状態基準信号は例えばＬＴＥシステムにおけるセル基準信号（ＣＲＳ：Ｃｅｌｌ  Ｒｅｆｅｒｅｎｃｅ  Ｓｉｇｎａｌ）又は５Ｇ  ＮＲシステムにおける同期信号であってもよく、接続状態基準信号は例えばＬＴＥシステムにおける復調基準信号（ＤＭＲＳ：Ｄｅ  Ｍｏｄｕｌａｔｉｏｎ  Ｒｅｆｅｒｅｎｃｅ  Ｓｉｇｎａｌ）、チャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、又は５ＧシステムにおけるＣＳＩ−ＲＳであってもよく、ここで一意に限定されない。
【００８８】
一つの可能な例では、前記方法はさらに前記端末が、現在のエリアが測定有効エリアに属しないことを検出した場合、及び／又は現在の時間が測定有効時間に属しないことを検出した場合に、前記測定配置情報を解放することを含む。
【００８９】
これから分かるように、本例では、端末は、測定条件を満たしないことを検出した後に測定配置情報に関連付けられたリソースに対する占有をリアルタイムに解除し、これにより、端末の無線伝送リソースの管理効率を向上することに役立つ。
【００９０】
一つの可能な例では、前記測定配置情報を搬送するシグナリングは無線リソース接続（ＲＲＣ）の接続解放シグナリング又はＲＲＣ再構成シグナリングであり、
前記測定配置情報は、測定周波数、測定モード、測定有効時間と測定有効エリアのうちの少なくとも一つを含む。
【００９１】
ここで、前記測定周波数は測定のスペクトル周波数を含む。前記測定有効時間は、該測定配置が非アクティブ状態になった後にどのぐらいになってから有効になるかを示すことに用いられ、前記測定有効エリアは、一つ又は複数のセルを含み、又は一つ又は複数の無線アクセスネットワークエリア（ＲＡＮ  Ａｒｅａ）を含む。
【００９２】
これから分かるように、本例では、測定配置情報は、測定して測定結果を取得するように端末に正確に指示することができ、これにより、端末のネットワーク配置の精度を向上させることに役立ち、また、追加のシグナリングオーバーヘッドを削減させ、配置効率を向上させる。
【００９３】
上記実施例と一致し、図５を参照し、図５は本発明の実施例に係る端末の構造図であり、図５に示すように、該端末は、一つ又は複数のプロセッサ、メモリ、通信インタフェース及び一つ又は複数のプログラムを備え、ここで、前記一つ又は複数のプログラムが前記メモリに記憶され、そして前記一つ又は複数のプロセッサによって実行されるように構成され、前記プログラムが以下のステップを実行するための命令を含む：
測定配置情報を取得し、前記測定配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含み、
前記測定配置に従って測定結果を取得する。
【００９４】
これから分かるように、本発明の実施例では、端末は、まず測定配置情報を取得し、ここで該測定配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記測定配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【００９５】
一つの可能な例では、前記測定配置情報が基準信号の測定配置情報を含み、前記測定配置に従って測定結果を取得する方面において、前記プログラムにおける命令が以下の操作を実行することに用いられる：非アクティブ状態に切り替えた後に、前記測定配置に従って前記基準信号を測定して測定結果を取得し、又は、非アクティブ状態に切り替えた後、且つアップリンクデータ又はダウンリンクページングメッセージを検出した場合、前記測定配置に従って前記基準信号を測定して測定結果を取得する。
【００９６】
一つの可能な例では、前記基準信号はアイドル状態基準信号及び／又は接続状態基準信号を含む。
【００９７】
一つの可能な例では、前記プログラムはさらに以下の操作を実行するための命令を含む：前記測定配置に従って測定結果を取得した後、接続状態に切り替え、前記測定結果を報告する。
【００９８】
一つの可能な例では、前記測定配置情報が測定報告トリガイベントを含み、前記測定結果を報告する方面において、前記プログラムにおける命令が具体的に以下の操作を実行することに用いられる：前記測定報告トリガイベントに基づき、前記測定結果を報告するか否かを判定し、そうである場合、前記測定結果を報告する。
【００９９】
一つの可能な例では、前記測定結果を報告する方面において、前記プログラムにおける命令は、以下の操作を実行することに用いられる：前記ネットワーク装置へ指示情報を送信し、前記指示情報が前記測定結果を示すことに用いられる。
【０１００】
一つの可能な例では、前記測定結果を報告する方面において、前記プログラムにおける命令は以下の操作を実行することに用いられる：前記ネットワーク装置からの測定結果報告リクエストを受信し、前記ネットワーク装置へ前記測定結果を報告する。
【０１０１】
一つの可能な例では、前記報告した前記測定結果を搬送するアップリンクシグナリングは、接続確立リクエスト、接続回復リクエスト、接続確立完了シグナリングと接続回復完了シグナリングのいずれか一つを含む。
【０１０２】
一つの可能な例では、前記プログラムはさらに以下の操作を実行するための命令を含む：現在のエリアが測定有効エリアに属しないことを検出すること、及び／又は現在の時間が測定有効時間に属しないことを検出した場合に、前記測定配置情報を解放する。
【０１０３】
一つの可能な例では、前記測定配置情報を搬送するシグナリングは無線リソース接続（ＲＲＣ）の接続解放シグナリング又はＲＲＣ再構成シグナリングであり、前記測定配置情報は、測定周波数、測定モード、測定有効時間と測定有効エリアのうちの少なくとも一つを含む。
【０１０４】
上記実施例と一致し、図６を参照し、図６は本発明の実施例に係る端末の構造図であり、図６に示すように、該端末は、一つ又は複数のプロセッサ、メモリ、通信インタフェース及び一つ又は複数のプログラムを備え、ここで、前記一つ又は複数のプログラムが前記メモリに記憶され、そして前記一つ又は複数のプロセッサによって実行されるように構成され、前記プログラムが以下のステップを実行するための命令を含む：
測定配置情報を送信し、前記測定配置情報が、端末が非接続状態にある時の測定配置を含み、前記測定配置情報が、端末が前記測定配置に従って測定して測定結果を取得することに用いられ、前記非接続状態が少なくともアイドル（ＩＤＬＥ）状態と非アクティブ（ＩＮＡＣＴＩＶＥ）状態のうちの一つを含む。
【０１０５】
これから分かるように、本発明の実施例では、端末は、まず測定配置情報を取得し、ここで該測定配置情報が、端末が非接続状態にある時の測定配置を含み、非接続状態が少なくともアイドル（ＩＤＬＥ）状態と非アクティブ（ＩＮＡＣＴＩＶＥ）状態のうちの一つを含み、次に、端末は前記測定配置に従って測定結果を取得する。端末が非接続状態において上記測定配置情報に基づいてネットワーク信号を測定して測定結果を取得することができ、これにより、端末は接続状態に切り替えた後、ネットワーク装置へ該測定結果を報告することができ、ネットワーク装置は該測定結果に基づいて端末のためにプリセット配置を迅速に行うことができ、それによって端末が接続状態に切り替えた後にネットワーク配置を行うためのシグナリングオーバーヘッドを削減させ、端末のネットワーク配置効率の向上に役立つ。
【０１０６】
一つの可能な例では、前記測定配置情報は基準信号の測定配置情報を含む。
【０１０７】
一つの可能な例では、前記基準信号はアイドル状態基準信号及び／又は接続状態基準信号を含む。
【０１０８】
一つの可能な例では、前記プログラムはさらに以下の操作を実行するための命令を含む：測定配置情報を送信した後、前記測定結果を取得し、前記測定結果が、前記端末が接続状態に切り替えた後に報告するものである。
【０１０９】
一つの可能な例では、前記測定配置情報が測定報告トリガイベントを含み、前記測定結果は、前記端末が前記測定報告トリガイベントに基づき、前記測定結果を報告するか否かを判定し、前記トリガイベントが開始された場合、報告するものである。
【０１１０】
一つの可能な例では、前記測定結果を取得する方面において、前記プログラムにおける命令は、以下の操作を実行することに用いられる：前記端末からの指示情報を受信し、前記指示情報が前記測定結果を示すことに用いられる。
【０１１１】
一つの可能な例では、前記測定結果を取得する方面において、前記プログラムにおける命令は具体的に以下の操作を実行することに用いられる：前記端末へ測定結果報告リクエストを送信し、前記端末が前記測定結果報告リクエストに応答して報告した前記測定結果を受信する。
【０１１２】
一つの可能な例では、前記測定結果を搬送するアップリンクシグナリングは、接続確立リクエスト、接続回復リクエスト、接続確立完了シグナリングと接続回復完了シグナリングのいずれか一つを含む。
【０１１３】
一つの可能な例では、前記測定配置情報を搬送するシグナリングは無線リソース接続（ＲＲＣ）の接続解放シグナリング又はＲＲＣ再構成シグナリングであり、前記測定配置情報は、測定周波数、測定モード、測定有効時間と測定有効エリアのうちの少なくとも一つを含む。
【０１１４】
一つの可能な例では、前記プログラムはさらに以下の操作を実行するための命令を含む：前記測定結果に基づいて接続状態にある前記端末に対してプリセット配置を行い、前記プリセット配置がセカンダリ搬送波及び／又はセカンダリサービスノードの配置を含む。
【０１１５】
以上に各ネットワーク要素間のインタラクションの観点から本出願の実施例の解決策を説明した。端末とネットワーク装置が上記機能を実現するために、各機能を実行するための対応するハードウェア構造及び／又はソフトウェアモジュールを備えることは理解できる。当業者は、本明細書で開示された実施例と組み合わせて説明された各例のユニット及びアルゴリズムステップが本出願でハードウェア又はハードウェアとコンピュータソフトウェアの組み合わせで実現されてもいよいことを容易に理解するべきである。ある機能がハードウエア又はコンピュータソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１１６】
本出願の実施例は上記方法の例に基づいて端末とネットワーク装置に対して機能ユニットの区分を行うことができ、例えば、各機能に対応して各機能ユニットを区分することができ、２つ以上の機能を一つの処理ユニットに統合することもできる。上記の統合されたユニットはハードウェアの形態で実現されてもよいし、ソフトウェアプログラムモジュールの形態で実現されてもよい。説明すべきものとして、本出願の実施例ではユニットに対する区分は概略的であり、論理的な機能区分に過ぎず、実際に実施する時に他の区分方式があり得る。
【０１１７】
統合されたユニットを用いる場合、図７に上記実施例に係る端末の一つの可能な機能ユニット構成ブロック図が示される。端末７００は処理ユニット７０２と通信ユニット７０３を備える。処理ユニット７０２は端末の動作を制御して管理するように構成され、例えば、処理ユニット７０２は端末が図２におけるステップ２０２−２０３、図４におけるステップ４０２−４０５及び／又は本明細書に記載される技術のための他のプロセスを実行することをサポートするように構成される。通信ユニット７０３は端末と他の装置の通信、例えば図５に示されるネットワーク装置との通信をサポートするように構成される。端末は端末のプログラムコードとデータを記憶するように構成される記憶ユニット７０１をさらに備えることができる。
【０１１８】
ここで、処理ユニット７０２は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、ハードウェア部材又はそれらの任意の組み合わせであってもよい。それは本出願で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサ、ＤＳＰとマイクロプロセッサの組み合わせなどを含む。通信ユニット７０３は送受信機、送受信回路などであってもよく、記憶ユニット７０１はメモリであってもよい。
【０１１９】
ここで、前記処理ユニット７０２は前記通信ユニット７０３を介して測定配置情報を取得し、前記測定配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含み、前記通信ユニット７０３を介して前記測定配置に従って測定結果を取得するように構成される。
【０１２０】
一つの可能な例では、前記測定配置情報が基準信号の測定配置情報を含み、前記測定配置に従って測定結果を取得する方面において、前記処理ユニット７０２は、具体的に非アクティブ状態に切り替えた後に、前記測定配置に従って前記基準信号を測定して測定結果を取得し、又は、非アクティブ状態に切り替えた後、且つアップリンクデータ又はダウンリンクページングメッセージを検出した場合、前記測定配置に従って前記基準信号を測定して測定結果を取得するように構成される。
【０１２１】
一つの可能な例では、前記基準信号はアイドル状態基準信号及び／又は接続状態基準信号を含む。
【０１２２】
一つの可能な例では、前記処理ユニット７０２は前記通信ユニット７０３を介して前記測定配置に従って測定結果を取得した後、さらに接続状態に切り替え、前記測定結果を報告するように構成される。
【０１２３】
一つの可能な例では、前記測定配置情報が測定報告トリガイベントを含み、前記測定結果を報告する方面において、前記処理ユニット７０２が具体的に前記測定報告トリガイベントに基づき、前記測定結果を報告するか否かを判定し、そうである場合、前記測定結果を報告するように構成される。
【０１２４】
一つの可能な例では、前記測定結果を報告する方面において、前記処理ユニット７０２は、具体的に前記通信ユニット７０３を介して前記ネットワーク装置へ指示情報を送信するように構成され、前記指示情報が前記測定結果を示すことに用いられる。
【０１２５】
一つの可能な例では、前記測定結果を報告する方面において、前記処理ユニット７０２は、具体的に前記通信ユニット７０３を介して前記ネットワーク装置からの測定結果報告リクエストを受信し、前記通信ユニット７０３を介して前記ネットワーク装置へ前記測定結果を報告するように構成される。
【０１２６】
一つの可能な例では、前記報告した前記測定結果を搬送するアップリンクシグナリングは、接続確立リクエスト、接続回復リクエスト、接続確立完了シグナリングと接続回復完了シグナリングのいずれか一つを含む。
【０１２７】
一つの可能な例では、前記処理ユニット７０２はさらに現在のエリアが測定有効エリアに属しないことを検出するように構成され、及び／又は現在の時間が測定有効時間に属しないことを検出した場合に、前記測定配置情報を解放するように構成される。
【０１２８】
一つの可能な例では、前記測定配置情報を搬送するシグナリングは無線リソース接続（ＲＲＣ）の接続解放シグナリング又はＲＲＣ再構成シグナリングであり、
前記測定配置情報は、測定周波数、測定モード、測定有効時間と測定有効エリアのうちの少なくとも一つを含む。
【０１２９】
処理ユニット７０２がプロセッサであり、通信ユニット７０３が通信インタフェースであり、記憶ユニット７０１がメモリである場合、本出願の実施例に係る端末は図４に示す端末であってもよい。
【０１３０】
統合されたユニットを用いる場合、図８に上記実施例に係るネットワーク装置の一つの可能な機能ユニット構成ブロック図が示される。ネットワーク装置８００は処理ユニット８０２と通信ユニット８０３を備える。処理ユニット８０２はネットワーク装置の動作を制御して管理するように構成され、例えば、処理ユニット８０２はネットワーク側装置が図３のステップ３０１〜３０３、図４における４０１、４０６、４０７及び／又は本明細書に記載される技術のための他のプロセスを実行することをサポートするように構成される。通信ユニット８０３はネットワーク装置と他の装置の通信、例えば図４に示される端末との通信をサポートするように構成される。ネットワーク装置はさらにネットワーク装置のプログラムコードとデータを記憶するように構成される記憶ユニット８０１をさらに備えることができる。
【０１３１】
ここで、処理ユニット８０２は、プロセッサ又はコントローラであってもよく、通信ユニット８０３は、送受信機、送受信回路、ＲＦチップなどであってもよく、記憶ユニット８０１はメモリであってもよい。
【０１３２】
ここで、前記処理ユニット８０２は前記通信ユニット８０３を介して測定配置情報を送信するように構成され、前記測定配置情報が、端末が非接続状態にある時の測定配置を含み、前記測定配置情報が測定結果を取得するために端末によって用いられ、前記非接続状態が少なくともアイドル（ＩＤＬＥ）状態と非アクティブ（ＩＮＡＣＴＩＶＥ）状態のうちの一つを含む。
【０１３３】
一つの可能な例では、前記測定配置情報は基準信号の測定配置情報を含む。
【０１３４】
一つの可能な例では、前記基準信号はアイドル状態基準信号及び／又は接続状態基準信号を含む。
【０１３５】
一つの可能な例では、前記処理ユニット８０２は、前記通信ユニット８０３を介して測定配置情報を送信した後、さらに前記通信ユニット８０３を介して前記測定結果を取得するように構成され、前記測定結果が、前記端末が接続状態に切り替えた後に報告するものである。
【０１３６】
一つの可能な例では、前記測定配置情報が測定報告トリガイベントを含み、前記測定結果は、前記端末が前記測定報告トリガイベントに基づき、前記測定結果を報告するか否かを判定し、前記トリガイベントが開示された場合、報告するものである。
【０１３７】
一つの可能な例では、前記測定結果を取得する方面において、前記処理ユニット８０２は、具体的に前記通信ユニット８０３を介して前記端末からの指示情報を受信するように構成され、前記指示情報が前記測定結果を示すことに用いられる。
【０１３８】
一つの可能な例では、前記測定結果を取得する方面において、前記処理ユニット８０２は、具体的に前記通信ユニット８０３を介して前記端末へ測定結果報告リクエストを送信し、前記通信ユニット８０３を介して端末が前記測定結果報告リクエストに応答して報告した前記測定結果を受信するように構成される。
【０１３９】
一つの可能な例では、前記測定結果を搬送するアップリンクシグナリングは、接続確立リクエスト、接続回復リクエスト、接続確立完了シグナリングと接続回復完了シグナリングのいずれか一つを含む。
【０１４０】
一つの可能な例では、前記測定配置情報を搬送するシグナリングは無線リソース接続（ＲＲＣ）の接続解放シグナリング又はＲＲＣ再構成シグナリングであり、
前記測定配置情報は、測定周波数、測定モード、測定有効時間と測定有効エリアのうちの少なくとも一つを含む。
【０１４１】
一つの可能な例では、前記処理ユニット８０２は、さらに前記測定結果に基づいて接続状態にある前記端末に対してプリセット配置を行うように構成され、前記プリセット配置がセカンダリ搬送波及び／又はセカンダリサービスノードの配置を含む。
【０１４２】
処理ユニット８０２がプロセッサであり、通信ユニット８０３が通信インタフェースであり、記憶ユニット８０１がメモリである場合、本出願の実施例に係るネットワーク装置は図５に示すネットワーク装置であってもよい。
【０１４３】
本出願の実施例はさらに別の端末を提供し、図９に示すように、説明を容易にするために、本出願の実施例と関連する部分だけが示され、具体的な技術的詳細については、本出願の実施例の方法部分を参照する。該端末は携帯電話、タブレット型コンピュータ、ＰＤＡ（Ｐｅｒｓｏｎａｌ  Ｄｉｇｉｔａｌ  Ａｓｓｉｓｔａｎｔ：パーソナルデジタルアシスタント）、ＰＯＳ（Ｐｏｉｎｔ  ｏｆ  Ｓａｌｅｓ：販売端末）、車載型コンピュータなどを含む任意の端末装置であってもよく、端末を例とする。
【０１４４】
図９は本出願の実施例に係る端末と関連付けられた携帯電話の部分構造のブロック図である。図９を参照すると、携帯電話は無線周波数（ＲＦ：Ｒａｄｉｏ  Ｆｒｅｑｕｅｎｃｙ）回路９１０、メモリ９２０、入力ユニット９３０、表示ユニット９４０、センサー９５０、オーディオ回路９６０、ワイヤレスフィデリティ（ＷｉＦｉ：Ｗｉｒｅｌｅｓｓ  Ｆｉｄｅｌｉｔｙ）モジュール９７０、プロセッサ９８０、及び電源９９０などの部材を含む。当業者であれば、図９に示す携帯電話の構成が携帯電話を限定するためのものではなく、図示よりもより多い又はより少ない部材を含むことができ、又はいくつかの部品、又は異なる部材を組み合わせて配置されてもよいことを理解できる。
【０１４５】
以下に図９と組み合わせて携帯電話の各構成部材を具体的に説明する。
【０１４６】
ＲＦ回路９１０は情報の受信及び送信に用いられてもよい。通常、ＲＦ回路９１０はアンテナ、少なくとも一つの増幅器、送受信機、カプラ、低雑音増幅器（ＬＮＡ：Ｌｏｗ  Ｎｏｉｓｅ  Ａｍｐｌｉｆｉｅｒ）、デュプレクサなどを含むがこれらに限定されない。また、ＲＦ回路９１０はさらに無線通信及びネットワークを介して他の装置と通信することができる。上記無線通信は、いずれかの通信基準又はプロトコルを用いることができ、グローバル移動体通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：ｉｄｅｂａｎｄ  Ｃｏｄｅ  Ｄｉｖｉｓｉｏｎ  Ｍｕｌｔｉｐｌｅ  Ａｃｃｅｓｓ）、長期進化型（ＬＴＥ：Ｌｏｎｇ  Ｔｅｒｍ  Ｅｖｏｌｕｔｉｏｎ）、電子メール、ショートメッセージングサービス（ＳＭＳ：Ｓｈｏｒｔ  Ｍｅｓｓａｇｉｎｇ  Ｓｅｒｖｉｃｅ）などを含むがこれらに限定されない。
【０１４７】
メモリ９２０はソフトウェアプログラム及びモジュールを記憶するように構成されてもよく、プロセッサ９８０はメモリ９２０に記憶されたソフトウェアプログラム及びモジュールを動作させることにより、携帯電話の各種の機能アプリケーション及びデータ処理を実行する。メモリ９２０は主にプログラム記憶領域とデータ記憶領域を含むことができ、ここでプログラム記憶領域がオペレーティングシステム、少なくとも一つの機能に必要なアプリケーションプログラムなどを記憶することができ、データ記憶領域が携帯電話の使用に応じて作成されたデータ等を記憶することができる。また、リザーバ９２０は高速ランダムアクセスメモリを含むことができ、さらに不揮発性メモリ、例えば少なくとも一つの磁気ディスク記憶デバイス、フラッシュメモリデバイス、又は他の揮発性ソリッドステートメモリデバイスを含むことができる。
【０１４８】
入力ユニット９３０は入力された数字又は文字情報を受信し、携帯電話のユーザ設定及び機能制御に関するキー信号入力を生成するように構成されてもよい。具体的には、入力ユニット９３０は指紋識別モジュール９３１及び他の入力装置９３２を含むことができる。指紋識別モジュール９３１はその上のユーザの指紋データを収集することができる。指紋識別モジュール９３１に加えて、入力ユニット９３０はさらに他の入力装置９３２を含むことができる。具体的には、他の入力装置９３２はタッチスクリーン、物理キーボード、機能キー（例えば音量制御キー、スイッチキー等）、トラックボール、マウス、ジョイスティックなどのうちの一つ又は複数を含むことができるがこれらに限定されない。
【０１４９】
表示ユニット９４０はユーザにより入力された情報又はユーザに供給された情報及び携帯電話の様々なメニューを表示することに用いられてもよい。表示ユニット９４０はディスプレイ９４１を含むことができ、選択可能に、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）などの形態でディスプレイ９４１を配置することができる。図９では、指紋識別モジュール９３１とディスプレイ９４１は二つの独立した部材として携帯電話の入力及び入力機能を実現するが、いくつかの実施例では、指紋識別モジュール９３１とディスプレイ９４１を統合して携帯電話の入力と放送機能を実現することができる。
【０１５０】
携帯電話はさらに少なくとも一つのセンサー９５０、例えば光センサー、モーションセンサ及び他のセンサーを備えることができる。具体的には、光センサーは周辺光センサー及び近接センサーを含むことができ、ここで、周辺光センサーが周辺光の明るさに応じてディスプレイ９４１の輝度を調節することができ、近接センサーが携帯電話が耳に移動する時に、ディスプレイ９４１び／又はバックライトをオフにすることができる。モーションセンサの一種として、加速度センサーは各方向（一般的に三つの軸である）の加速度の大きさを検出でき、静止する時に重力の大きさ及び方向を検出でき、携帯電話ジェスチャーの用途（例えば水平及び垂直画面の切り替え、関連ゲーム、磁力計のジェスチャー校正）への識別、関連機能（例えば歩数計、叩き）への振動識別などに用いられてもよく、携帯電話に対してジャイロ、気圧計、湿度計、温度計、赤外線センサー等の他のセンサを配置することもでき、ここで説明を省略する。
【０１５１】
オーディオ回路９６０、スピーカ９６１、マイクロフォン９６２はユーザと携帯電話との間のオーディオインタフェースを提供することができる。オーディオ回路９６０は受信されたオーディオデータが変換された電気信号を、スピーカ９６１に伝送することができ、スピーカ９６１によって音声信号に変換して放送し、一方では、マイクロホン９６２は収集された音声信号を電気信号に変換し、オーディオ回路９６０によって受信してオーディオデータに変換し、オーディオデータをプロセッサ９８０に放送して処理した後、ＲＦ回路９１０を介して例えば別の携帯電話に送信し、又はオーディオデータをメモリ９２０に放送して処理する。
【０１５２】
ＷｉＦｉが短距離無線伝送技術に属し、携帯電話はＷｉＦｉモジュール９７０を介してユーザによる電子メールの送受信、ウェウブページへの閲覧及びストリーミングメディアへのアクセスなどに役立つことができ、それはユーザに無線広帯域インターネットアクセスを提供する。図９にＷｉＦｉモジュール９７０が示されるが、それが携帯電話の必要な構成に属せず、完全に需要に応じて発明の本質を変更しない範囲で省略されてもよいことは、理解できる。
【０１５３】
プロセッサ９８０は携帯電話の制御センターであり、様々なインタフェース又は回線を用いて携帯電話全体の各部分を接続し、メモリ９２０に記憶されたソフトウェアプログラム及び／又はモジュールを動作又は実行し、メモリ９２０に記憶されたデータを呼び出し、携帯電話の様々な機能及び処理データを実行することにより、携帯電話全体を監視する。選択可能に、プロセッサ９８０は一つ又は複数の処理ユニットを含むことができ、好ましくは、プロセッサ９８０はアプリケーションプロセッサとモデムプロセッサを統合すことができ、ここで、アプリケーションプロセッサが主に操作システム、ユーザインタフェースとアプリケーションプログラムなどを処理し、モデムプロセッサが主に無線通信を処理する。上記モデムプロセッサがプロセッサ９８０に集積されなくてもよいことは、理解できる。
【０１５４】
携帯電話はさらに各部品に電力を供給する電源９９０（例えば電池）を含み、好ましくは、電源は電源管理システムを介してプロセッサ９８０に論理的に接続されてもよく、これにより電源管理システムによって充電、放電、及び電力消費管理などの機能を実現する。
【０１５５】
図示していないが、携帯電話はさらにカメラ、ブルートゥースモジュール等を備えることができ、ここでは説明を省略する。
【０１５６】
前記図２〜図４に示す実施例では、各ステップ方法における端末側のプロセスは該携帯電話の構造に基づいて実現されてもよい。
【０１５７】
前記図４、図５に示す実施例では、各ユニットの機能は該携帯電話の構造に基づいて実現されてもよい。
【０１５８】
本出願の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例における端末で説明された一部又は全てのステップを実行する。
【０１５９】
本出願の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例におけるネットワーク装置で説明された一部又は全てのステップを実行する。
【０１６０】
本出願の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法における端末に記載される一部又は全てのステップを実行させるように動作されてもよい。該コンピュータプログラム製品は、一つのソフトウェアインストールパッケージであってもよい。
【０１６１】
本出願の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法におけるネットワーク装置に記載される一部又は全てのステップを実行させるように動作されてもよい。該コンピュータプログラム製品は、一つのソフトウェアインストールパッケージであってもよい。
【０１６２】
本出願の実施例で説明された方法又はアルゴリズムのステップはハードウェアで実現されてもよいし、プロセッサがソフトウェア命令を実行することで実現されてもよい。ソフトウェア命令が対応するソフトウェアモジュールで構成されてもよく、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブルＲＯＭ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、モバイルハードディスク、読み出し専用光ディスク（ＣＤ−ＲＯＭ）又は本分野の既知のいかなる他の形態の記憶媒体に記憶されてもよい。例示的な記憶媒体はプロセッサに結合され、これによりプロセッサは該記憶媒体から情報を読み取ることができ、且つ該記憶媒体に情報を書き込むことができる。当然、記憶媒体はプロセッサの構成部分であってもよい。プロセッサと記憶媒体はＡＳＩＣに位置してもよい。また、該ＡＳＩＣはアクセスネットワーク装置、ターゲットネットワーク装置又はコアネットワーク装置に位置してもよい。当然、プロセッサと記憶媒体はディスクリートコンポーネントとしてアクセスネットワーク装置、ターゲットネットワーク装置又はコアネットワーク装置に位置してもよい。
【０１６３】
当業者は、上述した一つ又は複数の例において、本出願の実施例で説明された機能が全部又は一部でソフトウェア、ハードウェア、ファームウェア又はそれらの任意の組み合わせによって実現されてもよいことを理解することができる。ソフトウェアで実行される場合、全て又は部分的にコンピュータプログラム製品の形で実施されてもよい。前記コンピュータプログラム製品は一つ又は複数のコンピュータ命令を含む。コンピュータで前記コンピュータプログラム命令をロードして実行する場合、本出願の実施例に従って説明されたプロセス又は機能を全て部分的に生成する。前記コンピュータは汎用コンピュータ、専用コンピュータ、コンピュータネットワーク、又は他のプログラマブルデバイスであってもよい。前記コンピュータ命令はコンピュータ可読記憶媒体に記憶されてもよく、又は一つのコンピュータ読記憶媒体から別のコンピュータ読記憶媒体に伝送されてもよく、例えば、前記コンピュータ命令は一つウェブサイト、コンピュータ、サーバ又はデータセンターから有線（例えば同軸ケーブル、光ファイバ、デジタル加入者線（ＤＳＬ：Ｄｉｇｉｔａｌ  Ｓｕｂｓｃｒｉｂｅｒ  Ｌｉｎｅ））又は無線（例えば赤外線、無線、マイクロ波など）で別のウェブサイト、コンピュータ、サーバ又はデータセンターに伝送されてもよい。前記コンピュータ読記憶媒体はコンピュータがアクセスできるいかなる利用可能な媒体であってもよく、又は一つ又は複数の利用可能な媒体で集積されたサーバ、データセンターなどのデータ記憶装置を含む。前記利用可能な媒体は磁気磁気媒体（例えばフロッピーディスク、ハードディスク、磁気テープ）、光学媒体（例えばデジタルビデオディスク（ＤＶＤ：Ｄｉｇｉｔａｌ  Ｖｉｄｅｏ  Ｄｉｓｃ））、又は半導体媒体（例えばソリッドステートディスク（ＳＳＤ：Ｓｏｌｉｄ  Ｓｔａｔｅ  Ｄｉｓｋ））などであってもよい。
【０１６４】
上記の具体的な実施形態では、本出願の実施例の目的、技術的解決策と有益な効果をさらに詳しく説明し、理解すべきものとして、上記は本出願の具体的な実施例の具体的な実施形態に過ぎず、本出願の実施例の保護範囲を限定するためのものではなく、本出願の実施例の技術的解決策に基づいて行われるいかなる修正、同等置き換え、改良などは、いずれも本開示の保護範囲内に含まれるべきである。
【手続補正２】
【補正対象書類名】特許請求の範囲
【補正対象項目名】全文
【補正方法】変更
【補正の内容】
【特許請求の範囲】
【請求項１】
測定配置方法であって、
端末が測定配置情報を取得し、前記測定配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含むことと、
前記端末が前記測定配置に従って測定結果を取得することとを含む、前記方法。
【請求項２】
前記測定配置情報が基準信号の測定配置情報を含み、前記端末が前記測定配置に従って測定結果を取得することは、
前記端末が非アクティブ状態に切り替えた後に、前記測定配置に従って前記基準信号を測定して測定結果を取得すること、又は、
前記端末が非アクティブ状態に切り替えた後、且つアップリンクデータ又はダウンリンクページングメッセージを検出した場合、前記測定配置に従って前記基準信号を測定して測定結果を取得することを含み、
前記基準信号が、アイドル状態基準信号、接続状態基準信号のうちの少なくとも一つを含むことを特徴とする
請求項１に記載の方法。
【請求項３】
前記端末が前記測定配置に従って測定結果を取得した後、前記方法はさらに、
前記端末が接続状態に切り替えることと、
前記端末が前記測定結果を報告することとを含み、
前記測定配置情報が測定報告トリガイベントを含み、前記端末が前記測定結果を報告することは、
前記端末が前記測定報告トリガイベントに基づき、前記測定結果を報告するか否かを判定し、前記測定報告トリガイベントが開始された場合、前記測定結果を報告することを含むことを特徴とする
請求項１又は２に記載の方法。
【請求項４】
前記測定報告トリガイベントは、隣サービスセルの信号強度又は信号品質がプリセット閾値より大きいこと、又は隣サービスセルの信号強度又は信号品質が現在の接続しているサービスセルの信号強度又は信号品質より一つのオフセット大きいことであり、
前記信号強度又は信号品質は、信号強度、信号品質、信号対雑音比のうちのいずれか一つを含む信号強度と品質を示す値である
ことを特徴とする
請求項３に記載の方法。
【請求項５】
前記端末が前記測定結果を報告することは、
前記端末が前記ネットワーク装置へ指示情報を送信し、前記指示情報が前記測定結果を示すことに用いられることを特徴とする
請求項４に記載の方法。
【請求項６】
前記端末が前記測定結果を報告することは、
前記端末が前記ネットワーク装置からの測定結果報告リクエストを受信することと、
前記端末が前記ネットワーク装置へ前記測定結果を報告することとを含むことを特徴とする
請求項４に記載の方法。
【請求項７】
前記方法はさらに、
前記端末が、現在のエリアが測定有効エリアに属しないことを検出した場合、及び／又は現在の時間が測定有効時間に属しないことを検出した場合に、前記測定配置情報を解放することを含むことを特徴とする
請求項１−６のいずれか一項に記載の方法。
【請求項８】
前記測定配置情報を搬送するシグナリングは無線リソース接続（ＲＲＣ）の接続解放シグナリング又はＲＲＣ再構成シグナリングであり、
前記測定配置情報は、測定周波数、測定モード、測定有効時間と測定有効エリアのうちの少なくとも一つを含み、
前記測定周波数は測定のスペクトル周波数を含み、前記測定有効時間は、該測定配置が非アクティブ状態になった後にどのぐらいになってから有効になるかを示すことに用いられ、前記測定有効エリアは、一つ又は複数のセルを含み、又は一つ又は複数の無線アクセスネットワークエリア（ＲＡＮ  Ａｒｅａ）を含むことを特徴とする
請求項１−７のいずれか一項に記載の方法。
【請求項９】
端末であって、処理ユニットと通信ユニットを備え、
前記処理ユニットは、前記通信ユニットを介して測定配置情報を取得し、前記測定配置情報が、端末が非接続状態にある時の測定配置を含み、前記非接続状態が少なくともアイドル（ＩＤＬＥ）状態と非アクティブ（ＩＮＡＣＴＩＶＥ）状態のうちの一つを含み、前記通信ユニットを介して前記測定配置に従って測定結果を取得するように構成される、前記端末。
【請求項１０】
前記処理ユニットは、
接続状態に切り替え、
前記測定結果を報告するようにさらに構成され、
前記測定配置情報が測定報告トリガイベントを含み、
前記処理ユニットは、
前記測定報告トリガイベントに基づき、前記測定結果を報告するか否かを判定し、前記測定報告トリガイベントが開始された場合、前記測定結果を報告するようにさらに構成される、
請求項９に記載の端末。
【請求項１１】
前記測定報告トリガイベントは、隣サービスセルの信号強度又は信号品質がプリセット閾値より大きいこと、又は隣サービスセルの信号強度又は信号品質が現在の接続しているサービスセルの信号強度又は信号品質より一つのオフセット大きいことであり、
前記信号強度又は信号品質は、信号強度、信号品質、信号対雑音比のうちのいずれか一つを含む信号強度と品質を示す値である、
請求項１０に記載の端末。
【請求項１２】
前記通信ユニットは、前記ネットワーク装置へ指示情報を送信するように構成され、前記指示情報が前記測定結果を示すことに用いられる、
請求項１１に記載の端末。
【請求項１３】
前記処理ユニットは、
前記ネットワーク装置からの測定結果報告リクエストを受信し、
前記ネットワーク装置へ前記測定結果を報告するように通信ユニットを制御するようにさらに構成される、
請求項１１に記載の端末。
【請求項１４】
前記処理ユニットは、
現在のエリアが測定有効エリアに属しない場合、及び／又は現在の時間が測定有効時間に属しないこと場合、前記測定配置情報を解放するようにさらに構成される、
請求項９−１３のいずれか一項に記載の端末。
【手続補正３】
【補正対象書類名】図面
【補正対象項目名】図２
【補正方法】変更
【補正の内容】
【図２】
2020532149.tif 000012
【手続補正４】
【補正対象書類名】図面
【補正対象項目名】図３
【補正方法】変更
【補正の内容】
【図３】
2020532149.tif 000013
【手続補正５】
【補正対象書類名】図面
【補正対象項目名】図４
【補正方法】変更
【補正の内容】
【図４】
2020532149.tif 000014
【国際調査報告】
2020532149.tif 000015
2020532149.tif 000016
2020532149.tif 000017
2020532149.tif 000018